(57)【特許請求の範囲】
【請求項１】
ワイヤレス通信のための方法であって、
ユーザ機器（ＵＥ）によって、第１のサービングノードとの第１の接続を確立することと、
前記ＵＥによって、第２のサービングノードとの第２の接続を確立することと、ここにおいて、前記第１の接続と前記第２の接続とがネットワークレイヤにおけるトラフィックアグリゲーションのために構成される、
前記第１の接続のための電力消費モードの指示を受信することと、ここにおいて、前記第１の接続のための前記電力消費モードの前記指示を受信することが、前記第１の接続または前記第２の接続のうちの少なくとも１つを介して受信されるパケットを並べ替えることに関係する並べ替えステータスを決定することを備える、
前記第１の接続のための前記電力消費モードを、前記指示から、決定することに少なくとも基づいて前記第２の接続の電力動作モードを切り替えることと、ここにおいて、前記第２の接続の前記電力動作モードを切り替えることが、前記並べ替えステータスを決定することに少なくとも基づいて前記電力動作モードを出ることを備える、
を備える、方法。
【請求項２】
前記並べ替えステータスは、並べ替えが進行中であるのかまたは進行中でないのかという第２の指示、パケット並べ替えタイマーのために残っている時間、あるいは前記パケット並べ替えタイマーが開始してからの時間のうちの少なくとも１つに基づく、請求項１に記載の方法。
【請求項３】
前記電力動作モードを出ることが、前記第２の接続を介して、省電力ポール、または前記電力動作モードを出ることを示すピギーバック省電力制御とともにアップリンクユーザデータのうちの少なくとも１つを送信することを備える、請求項１に記載の方法。
【請求項４】
前記第１の接続から前記電力消費モードの前記指示を受信することが、前記第１の接続または前記第２の接続のうちの少なくとも１つを介して受信されるパケットが正常に並べ替えられているかどうかを決定することをさらに備え、前記第２の接続の前記電力動作モードを切り替えることが、前記パケットが正常に並べ替えられていると決定することにさらに少なくとも基づく、請求項１に記載の方法。
【請求項５】
前記第１の接続から前記電力消費モードの前記指示を受信することが、不連続受信（ＤＲＸ）非アクティビティタイマーの満了に続いて前記第１の接続について別の電力動作モードに入ることに関係する前記第１の接続の前記ＤＲＸ非アクティビティタイマーがトーリングしているのかどうかを決定することをさらに備える、請求項１に記載の方法。
【請求項６】
前記ＤＲＸ非アクティビティタイマーがトーリングしていると決定することが、前記第１の接続を介してダウンリンク送信を受信することに基づいて前記ＤＲＸ非アクティビティタイマーがトーリングしていると決定することを備える、請求項５に記載の方法。
【請求項７】
前記第１の接続から前記電力消費モードの前記指示を受信することが、オン継続時間タイマーの満了に続いて前記第１の接続について別の電力動作モードから出ることに関係する前記第１の接続の前記オン継続時間タイマーが満了したのかどうかを決定することをさらに備える、請求項１に記載の方法。
【請求項８】
前記指示を受信することが、前記第１の接続を介してパケットを受信または送信することに少なくとも基づく、請求項１に記載の方法。
【請求項９】
前記指示を受信することが、前記第２の接続を介した前記電力動作モードを出ることを指示する制御パケットを前記第１の接続または前記第２の接続を介して受信することをさらに備える、請求項１に記載の方法。
【請求項１０】
前記電力動作モードを切り替えることは、前記電力動作モードが前記第２の接続に対して許可されることを示す別の制御パケットが前記第１の接続または前記第２の接続を介して受信されるまで、前記電力動作モードから離れたままであることを、前記制御パケットに基づいて、決定することをさらに備える、請求項９に記載の方法。
【請求項１１】
前記制御パケットが、前記電力動作モードに入るべき時間または前記電力動作モードから出るべき時間のうちの少なくとも１つを示す、請求項９に記載の方法。
【請求項１２】
前記制御パケットが、前記電力動作モードに入ることの周期的パターンまたは前記電力動作モードから出ることの周期的パターンのうちの少なくとも１つを定義する、請求項９に記載の方法。
【請求項１３】
ワイヤレス通信のための装置であって、
トランシーバと、
命令を記憶するように構成されたメモリと、
前記トランシーバおよび前記メモリと通信可能に結合された少なくとも１つのプロセッサとを備え、ここにおいて、前記少なくとも１つのプロセッサが、
第１のサービングノードとの第１の接続を確立することと、
第２のサービングノードとの第２の接続を確立することと、ここにおいて、前記第１の接続と前記第２の接続とがネットワークレイヤにおけるトラフィックアグリゲーションのために構成される、
前記第１の接続のための電力消費モードの指示を受信することと、ここにおいて、前記少なくとも１つのプロセッサが、前記第１の接続または前記第２の接続のうちの少なくとも１つを介して受信されるパケットを並べ替えることに関係する並べ替えステータスを決定することに少なくとも基づいて前記第１の接続のための前記電力消費モードの前記指示を受信するように構成された、
前記第１の接続のための前記電力消費モードを、前記指示から、決定することに少なくとも基づいて前記第２の接続の電力動作モードを切り替えることと、ここにおいて、前記少なくとも１つのプロセッサが、前記並べ替えステータスを決定することに少なくとも基づいて前記電力動作モードを出ることに少なくとも基づいて前記第２の接続の前記電力動作モードを切り替えるように構成された、
を行うように構成された、装置。
【請求項１４】
前記並べ替えステータスは、並べ替えが進行中であるのかまたは進行中でないのかという第２の指示、パケット並べ替えタイマーのために残っている時間、あるいは前記パケット並べ替えタイマーが開始してからの時間のうちの少なくとも１つに基づく、請求項１３に記載の装置。
【請求項１５】
前記少なくとも１つのプロセッサが、前記第１の接続または前記第２の接続のうちの少なくとも１つを介して受信されるパケットが正常に並べ替えられているかどうかを決定することにさらに少なくとも基づいて前記第１の接続から前記電力消費モードの前記指示を受信するように構成され、ここにおいて、前記少なくとも１つのプロセッサは、前記パケットが並べ替えられていると決定することにさらに少なくとも基づいて前記第２の接続の前記電力動作モードを切り替えることを行うように構成された、請求項１３に記載の装置。
【請求項１６】
前記少なくとも１つのプロセッサが、不連続受信（ＤＲＸ）非アクティビティタイマーの満了に続いて前記第１の接続について別の電力動作モードに入ることに関係する前記第１の接続の前記ＤＲＸ非アクティビティタイマーがトーリングしているのかどうかを決定することにさらに少なくとも基づいて前記第１の接続から前記電力消費モードの前記指示を受信することを行うように構成された、請求項１３に記載の装置。
【請求項１７】
前記少なくとも１つのプロセッサが、前記第１の接続を介してダウンリンク送信を受信することに基づいて前記ＤＲＸ非アクティビティタイマーがトーリングしていると決定することを行うように構成された、請求項１６に記載の装置。
【請求項１８】
前記少なくとも１つのプロセッサが、オン継続時間タイマーの満了に続いて前記第１の接続について別の電力動作モードから出ることに関係する前記第１の接続の前記オン継続時間タイマーが満了したのかどうかを決定することにさらに少なくとも基づいて前記第１の接続から前記電力消費モードの前記指示を受信することを行うように構成された、請求項１３に記載の装置。
【請求項１９】
前記少なくとも１つのプロセッサが、前記第１の接続を介してパケットを受信することに少なくとも基づいて前記指示を受信することを行うように構成された、請求項１３に記載の装置。
【請求項２０】
前記少なくとも１つのプロセッサが、前記第２の接続を介した前記電力動作モードを出ることを指示する制御パケットを前記第１の接続または前記第２の接続を介して受信することにさらに少なくとも基づいて前記指示を受信することを行うように構成された、請求項１３に記載の装置。
【請求項２１】
前記少なくとも１つのプロセッサは、前記電力動作モードが前記第２の接続に対して許可されることを示す別の制御パケットが前記第１の接続または前記第２の接続を介して受信されるまで、前記電力動作モードから離れたままであることを決定することに基づいて前記電力動作モードを出ることを行うように構成された、請求項２０に記載の装置。
【請求項２２】
前記制御パケットが、前記電力動作モードに入るべき時間または周期的パターンまたは前記電力動作モードから出るべき時間または周期的パターンのうちの少なくとも１つを示す、請求項２０に記載の装置。
【請求項２３】
ワイヤレス通信のための装置であって、
第１のサービングノードとの第１の接続を確立するための手段と、
第２のサービングノードとの第２の接続を確立するための手段と、ここにおいて、前記第１の接続と前記第２の接続とがネットワークレイヤにおけるトラフィックアグリゲーションのために構成される、
前記第１の接続のための電力消費モードの指示を受信するための手段と、ここにおいて、受信するための前記手段が、前記第１の接続または前記第２の接続のうちの少なくとも１つを介して受信されるパケットを並べ替えることに関係する並べ替えステータスを決定することに少なくとも基づいて前記第１の接続のための前記電力消費モードの前記指示を受信する、
前記第１の接続のための前記電力消費モードを、前記指示から、決定することに少なくとも基づいて前記第２の接続の電力動作モードを切り替えるための手段と、ここにおいて、切り替えるための前記手段が、前記並べ替えステータスを決定することに少なくとも基づいて前記電力動作モードを出ることに少なくとも基づいて前記第２の接続の前記電力動作モードを切り替える、
を備える、装置。
【請求項２４】
前記並べ替えステータスは、並べ替えが進行中であるのかまたは進行中でないのかという第２の指示、パケット並べ替えタイマーのために残っている時間、あるいは前記パケット並べ替えタイマーが開始してからの時間のうちの少なくとも１つに基づく、請求項２３に記載の装置。
【請求項２５】
前記電力動作モードを出ることが、前記第２の接続を介して、省電力ポール、または前記電力動作モードを出ることを示すピギーバック省電力制御とともにアップリンクユーザデータのうちの少なくとも１つを送信することを備える、請求項２３に記載の装置。
【請求項２６】
受信するための前記手段が、前記第１の接続を介してパケットを受信または送信することに少なくとも基づいて前記指示を受信する、請求項２３に記載の装置。
【請求項２７】
ワイヤレス通信のためのコンピュータ実行可能コードを備える非一時的コンピュータ可読記憶媒体であって、前記コードは、
第１のサービングノードとの第１の接続を確立するためのコードと、
第２のサービングノードとの第２の接続を確立するためのコードと、ここにおいて、前記第１の接続と前記第２の接続とがネットワークレイヤにおけるトラフィックアグリゲーションのために構成される、
前記第１の接続のための電力消費モードの指示を受信するためのコードと、ここにおいて、受信するための前記コードが、前記第１の接続または前記第２の接続のうちの少なくとも１つを介して受信されるパケットを並べ替えることに関係する並べ替えステータスを決定することに少なくとも基づいて前記第１の接続のための前記電力消費モードの前記指示を受信する、
前記第１の接続のための前記電力消費モードを、前記指示から、決定することに少なくとも基づいて前記第２の接続の電力動作モードを切り替えるためのコードと、ここにおいて、切り替えるための前記コードが、前記並べ替えステータスを決定することに少なくとも基づいて前記電力動作モードを出ることに少なくとも基づいて前記第２の接続の前記電力動作モードを切り替える、
を備える、非一時的コンピュータ可読記憶媒体。
【請求項２８】
前記並べ替えステータスは、並べ替えが進行中であるのかまたは進行中でないのかという第２の指示、パケット並べ替えタイマーのために残っている時間、あるいは前記パケット並べ替えタイマーが開始してからの時間のうちの少なくとも１つに基づく、請求項２７に記載の非一時的コンピュータ可読記憶媒体。
【請求項２９】
前記電力動作モードを出ることが、前記第２の接続を介して、省電力ポール、または前記電力動作モードを出ることを示すピギーバック省電力制御とともにアップリンクユーザデータのうちの少なくとも１つを送信することを備える、請求項２７に記載の非一時的コンピュータ可読記憶媒体。
【請求項３０】
受信するための前記コードが、前記第１の接続を介してパケットを受信または送信することに少なくとも基づいて前記指示を受信する、請求項２７に記載の非一時的コンピュータ可読記憶媒体。
【発明の詳細な説明】
【技術分野】
【０００１】
米国特許法第１１９条に基づく優先権の主張
[0001]本特許出願は、両方の出願が本出願の譲受人に譲渡され、両方の出願全体が参照により本明細書に明確に組み込まれる、２０１５年３月１９日に出願された「ＴＥＣＨＮＩＱＵＥＳ  ＦＯＲ  ＭＡＮＡＧＩＮＧ  ＰＯＷＥＲ  ＯＰＥＲＡＴＩＯＮ  ＭＯＤＥＳ  ＯＦ  Ａ  ＵＳＥＲ  ＥＱＵＩＰＭＥＮＴ  （ＵＥ）  ＣＯＭＭＵＮＩＣＡＴＩＮＧ  ＷＩＴＨ  Ａ  ＰＬＵＲＡＬＩＴＹ  ＯＦ  ＲＡＤＩＯ  ＡＣＣＥＳＳ  ＴＥＣＨＮＯＬＯＧＩＥＳ  （ＲＡＴＳ）」と題する仮出願番号第６２／１３５，５８３号、および２０１６年３月１０日に出願された「ＴＥＣＨＮＩＱＵＥＳ  ＦＯＲ  ＭＡＮＡＧＩＮＧ  ＰＯＷＥＲ  ＯＰＥＲＡＴＩＯＮ  ＭＯＤＥＳ  ＯＦ  Ａ  ＵＳＥＲ  ＥＱＵＩＰＭＥＮＴ  （ＵＥ）  ＣＯＭＭＵＮＩＣＡＴＩＮＧ  ＷＩＴＨ  Ａ  ＰＬＵＲＡＬＩＴＹ  ＯＦ  ＲＡＤＩＯ  ＡＣＣＥＳＳ  ＴＥＣＨＮＯＬＯＧＩＥＳ  （ＲＡＴＳ）」と題する米国特許出願番号第１５／０６６，２１４号の優先権を主張する。
【０００２】
[0002]本開示は、たとえば、ワイヤレス通信システムに関し、より詳細には、複数の無線アクセス技術（ＲＡＴ）を用いて通信するユーザ機器（ＵＥ）の電力動作モードを管理するための技法に関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ）のための通信をサポートすることができるいくつかの基地局（たとえば、ｅノードＢ）を含み得る。ＵＥは、ダウンリンクとアップリンクとを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]さらに、ＵＥは、８０２．１１（Ｗｉ−Ｆｉ（登録商標））などのワイヤレス通信技術を使用して１つまたは複数のホットスポットにアクセスすることによってワイヤレスローカルエリアネットワーク（ＷＬＡＮ）において通信する能力があり得る。この点について、ＵＥは、１つまたは複数のＷＬＡＮの無線アクセスネットワーク（ＲＡＮ）とともにワイヤレスワイドエリアネットワーク（ＷＷＡＮ）のＲＡＮ（たとえば、セルラーネットワーク）と通信することができる。ＵＥは、ＷＷＡＮのＲＡＮと通信するように動作可能な受信機（たとえば、ロングタームエボリューション（ＬＴＥ（登録商標））、ユニバーサル電気通信モバイルシステム（ＵＭＴＳ）、または同様の受信機）とＷＬＡＮのＲＡＮと通信するように動作可能な別の受信機（たとえば、８０２．１１  Ｗｉ−Ｆｉ受信機）とを含むことができる。ＵＥは、追加または代替として、両方のＲＡＮ（たとえば、ＷＷＡＮおよびＷＬＡＮ）と通信するために動作可能な単一の受信機を含み得る。いずれの場合も、ＷＷＡＮおよびＷＬＡＮを介した通信は、１つまたは複数のネットワークノードへの同時アクセスを与えること、ＷＷＡＮからＷＬＡＮにまたはその逆にトラフィックをオフロードすることなどを行うために、（たとえば、メディアアクセス制御（ＭＡＣ）、パケットデータコンバージェンスプロトコル（ＰＤＣＰ）または同様のレイヤにおいて）アグリゲートされ得、これは、「ＲＡＮアグリゲーション」サッチと呼ばれることがある。
【０００６】
[0006]ＲＡＮアグリゲーションの現在の実装形態では、ＷＷＡＮアクセスポイントは、所与のＵＥについてＷＷＡＮ接続とＷＬＡＮ接続とを介したダウンリンク通信をスケジュールし、ＵＥは、ＷＷＡＮ接続を介してＷＷＡＮ  ＲＡＮと、ＷＬＡＮ接続を介してＷＬＡＮ  ＲＡＮと通信する。ＷＬＡＮアクセスポイントは、次いで、ＵＥとＷＷＡＮアクセスポイントとの間で、ＷＷＡＮによってスケジュールされたデータを通信し得る。したがって、ダウンリンク上で、ＷＷＡＮ接続とＷＬＡＮ接続とからのデータパケットは、分割され、ＵＥにおいて順序が乱れて受信され得、したがって、ＵＥは、独立したＷＷＡＮ接続とＷＬＡＮ接続とを介して受信されたデータパケットに関連するシーケンス番号に基づいてＭＡＣレイヤ、ＲＬＣレイヤまたはＰＤＣＰレイヤにおいて順が狂ったパケットを並べ替えることができる。しかしながら、ＵＥは、電力消費量を節約すること、（たとえば、より良い無線条件をもつアクセスポイントの位置を特定するために）他のチャネルを走査することなどを行うために接続のうちの１つまたは複数を介してある電力動作モード（たとえば、アイドルモード）に入り得る。この例では、ＵＥは、受信されたデータパケットの並べ替えを適切に実行するために接続のうちの１つまたは複数を介してデータパケットを受信するために異なる電力動作モード（たとえば、接続モード）に切り替わるために十分な時間を有しないことがある。したがって、ＵＥは、データパケットを再送するように要求し得、これは、ワイヤレスネットワークのリソースを不要に浪費することをもたらし得る。
【発明の概要】
【０００７】
[0007]以下で、１つまたは複数の態様の基本的理解を与えるために、そのような態様の簡略化された概要を提示する。この概要は、すべての考えられる態様の包括的な概説ではなく、すべての態様の主要または重要な要素を識別することも、いずれかまたはすべての態様の範囲を定めることも意図していない。その唯一の目的は、後に提示されるより詳細な説明の導入として、１つまたは複数の態様のいくつかの概念を簡略化された形で提示することである。
【０００８】
[0008]本開示は、たとえば、概して、ワイヤレス通信システムに関し、より詳細には、複数の無線アクセス技術（ＲＡＴ）を用いて通信するユーザ機器（ＵＥ）の電力動作モードを管理するための技法に関する。たとえば、異なる無線アクセス技術（ＲＡＴ）の１つまたは複数の接続が電力消費量を節約するための電力動作モードにある、無線アクセスネットワーク（ＲＡＮ）中のワイヤレスデバイス、基地局、および／またはアクセスポイントとの間の通信を管理するための技法について、本明細書で説明する。
【０００９】
[0009]一態様によれば、ワイヤレスデバイス（たとえば、ユーザ機器（ＵＥ））は、異なる無線アクセス技術（ＲＡＴ）および／またはネットワークアーキテクチャを使用して、複数のＲＡＮ中のアクセスポイントと通信し得る。たとえば、ワイヤレスデバイスは、１つまたは複数のネットワークにアクセスするために、ワイヤレスワイドエリアネットワーク（ＷＷＡＮ）のためのＲＡＮまたはセルラーネットワークの発展型ノードＢまたは他の構成要素、ＷＬＡＮのためのＲＡＮのアクセスポイントまたは同様の構成要素などと通信し得る。一例では、ＵＥが、第１のアクセスポイントと第１のＲＡＴを使用して第１のネットワーク（たとえば、ＷＷＡＮ）にアクセスし、第２のアクセスポイントと第２のＲＡＴを使用して第２のネットワーク（たとえば、ＷＬＡＮ）にアクセスするトラフィックアグリゲーション（たとえば、ＲＡＮアグリゲーション）を実装し得、ここで、第２のアクセスポイントは、第１のネットワークへのトラフィックアグリゲーションをＵＥに与えるために第１のアクセスポイントと通信する。第１のアクセスポイントと第２のアクセスポイントとは、ＲＡＮの一部であるか、またはさもなければ異なるＲＡＮを利用し得る。この構成により、第１のネットワークおよび／または第２のネットワークとの改善された接続性が可能になるが、アクセスポイントのうちの少なくとも１つとの接続が、電力消費量を節約するための電力動作モードにあるときパケットを順序付けることについて問題を生じ得る。したがって、たとえば、その電力動作モードおよび／またはアクセスポイントとの接続を介した通信は、その電力動作モードにあるアクセスポイントのうちの少なくとも１つとの接続に基づいてパケットをドロップしないことを保証するように管理され得る。
【００１０】
[0010]一例では、ワイヤレス通信のための方法が提供される。本方法は、第１のＲＡＴを使用して第１のサービングノードとの第１の接続を確立することと、第２のＲＡＴを使用して第２のサービングノードとの第２の接続を確立することと、ここにおいて、第１の接続と第２の接続とがトラフィックアグリゲーションのために構成される、第１の接続のための電力消費モードの指示を受信することと、指示に少なくとも部分的に基づいて第２の接続の電力動作モードを決定することとを含む。
【００１１】
[0011]本方法はまた、第１の接続からの電力消費モードの指示を受信することが、第１の接続または第２の接続のうちの少なくとも１つを介して受信されるパケットを並べ替えることに関係する並べ替えステータスを決定することを備えることを含み得る。本方法は、並べ替えステータスが、並べ替えが進行中であるのかまたは進行中でないのかという第２の指示、パケット並べ替えタイマーのために残っている時間、あるいはパケット並べ替えタイマーが開始してからの時間のうちの少なくとも１つに基づくことをさらに含み得る。本方法は、第２の接続の電力動作モードを決定することが、並べ替えステータスを決定することに少なくとも部分的に基づいてその電力動作モードを出ることを備えることを含み得る。また、本方法は、第１の接続から電力消費モードの指示を受信することが、第１の接続または第２の接続のうちの少なくとも１つを介して受信されるパケットが正常に並べ替えられているかどうかを決定することを備え、第２の接続の電力動作モードを決定することが、パケットが並べ替えられていると決定することに少なくとも部分的に基づくことを含み得る。
【００１２】
[0012]本方法はまた、第１の接続から電力消費モードの指示を受信することが、不連続受信（ＤＲＸ）非アクティビティタイマーの満了に続いて第１のＲＡＴについて別の電力動作モードに入ることに関係する第１のＲＡＴのＤＲＸ非アクティビティタイマーがトーリングしている（toll）のかどうかを決定することを備えることを含み得る。本方法は、ＤＲＸ非アクティビティタイマーがトーリングしていると決定することが、第１の接続を介してダウンリンク送信を受信することに基づいてＤＲＸ非アクティビティタイマーがトーリングしていると決定することを備えることを含み得る。本方法は、第１の接続から電力消費モードの指示を受信することが、オン継続時間タイマーの満了に続いて第１のＲＡＴについて別の電力動作モードから出ることに関係する第１のＲＡＴのオン継続時間タイマーが満了したのかどうかを決定することを備えることをさらに含み得る。その上、本方法は、指示を受信することが、第１の接続を介してパケットを受信することに少なくとも部分的に基づくことを含み得る。
【００１３】
[0013]本方法は、指示を受信することが、第２の接続を介した電力動作モードを出ることを指示する制御パケットを第１の接続または第２の接続を介して受信することを備えることをさらに含み得る。本方法は、その電力動作モードを出ることを決定することが、その電力動作モードが第２の接続に対して許可されることを示す別の制御パケットが第１の接続または第２の接続を介して受信されるまで、その電力動作モードから離れたままであることを決定することを備えることを含み得る。また、本方法は、制御パケットが、その電力動作モードに入るべき時間を示すことを含み得る。
【００１４】
[0014]別の例では、ワイヤレス通信のための装置が提供される。本装置は、トランシーバと、命令を記憶するように構成されたメモリと、トランシーバおよびメモリと通信可能に結合された少なくとも１つのプロセッサとを含む。少なくとも１つのプロセッサは、第１のＲＡＴを使用して第１のサービングノードとの第１の接続を確立することと、第２のＲＡＴを使用して第２のサービングノードとの第２の接続を確立することと、ここにおいて、第１の接続と第２の接続とがトラフィックアグリゲーションのために構成される、第１の接続のための電力消費モードの指示を受信することと、指示に少なくとも部分的に基づいて第２の接続の電力動作モードを決定することとを行うように構成される。
【００１５】
[0015]本装置は、少なくとも１つのプロセッサが、第１の接続または第２の接続のうちの少なくとも１つを介して受信されるパケットを並べ替えることに関係する並べ替えステータスを決定することに少なくとも基づいて第１の接続から電力消費モードの指示を受信することを行うように構成されることをさらに含み得る。本装置はまた、並べ替えステータスが、並べ替えが進行中であるのかまたは進行中でないのかという第２の指示、パケット並べ替えタイマーのために残っている時間、あるいはパケット並べ替えタイマーが開始してからの時間のうちの少なくとも１つに基づくことを含み得る。さらに、本装置は、少なくとも１つのプロセッサが、並べ替えステータスを決定することに少なくとも基づいて電力動作モードを出ることに少なくとも基づいて第２の接続の電力動作モードを決定することを行うように構成されることを含み得る。
【００１６】
[0016]本装置はまた、少なくとも１つのプロセッサが、第１の接続または第２の接続のうちの少なくとも１つを介して受信されるパケットが正常に並べ替えられているのかどうかを決定することに少なくとも基づいて第１の接続から電力消費モードの指示を受信すること、ここにおいて、少なくとも１つのプロセッサは、パケットが並べ替えられていると決定することに少なくとも基づいて第２の接続の電力動作モードを決定することを行うように構成された、を行うように構成されることを含み得る。本装置は、少なくとも１つのプロセッサが、不連続受信（ＤＲＸ）非アクティビティタイマーの満了に続いて第１のＲＡＴについて別の電力動作モードに入ることに関係する第１のＲＡＴのＤＲＸ非アクティビティタイマーがトーリングしているのかどうかを決定することに少なくとも基づいて第１の接続から電力消費モードの指示を受信することを行うように構成されることを含み得る。本装置はまた、少なくとも１つのプロセッサが、第１の接続を介してダウンリンク送信を受信することに基づいてＤＲＸ非アクティビティタイマーがトーリングしていると決定することに少なくとも基づいてＤＲＸ非アクティビティタイマーがトーリングしていると決定することを行うように構成されることを含み得る。さらに、本装置は、少なくとも１つのプロセッサが、オン継続時間タイマーの満了に続いて第１のＲＡＴについて別の電力動作モードから出ることに関係する第１のＲＡＴのオン継続時間タイマーが満了したのかどうかを決定することに少なくとも基づいて第１の接続から電力消費モードの指示を受信することを行うように構成されることを含み得る。
【００１７】
[0017]本装置はまた、少なくとも１つのプロセッサが、第１の接続を介してパケットを受信することに少なくとも部分的に基づいて指示を受信することを行うように構成されることを含み得る。また、本装置は、少なくとも１つのプロセッサが、第２の接続を介した電力動作モードを出ることを指示する制御パケットを第１の接続または第２の接続を介して受信することに少なくとも基づいて指示を受信することを行うように構成されることを含み得る。
【００１８】
[0018]別の例によれば、ワイヤレス通信のための方法が提供される。本方法は、第１のＲＡＴを使用して第１の接続を介してＵＥにサービスすることと、第２のＲＡＴを使用してアクセスポイントとの第２の接続に関連する電力動作モードでＵＥが構成されるのかどうかを決定することと、ＵＥが第２の接続に関連する電力動作モードで構成されるという決定に少なくとも部分的に基づいて第１の時間間隔中に第２の接続についてのデータをスケジュールすることと、第２の時間間隔中に第１の接続と第２の接続との上でデータをスケジュールすることとを含む。
【００１９】
[0019]本方法はまた、第１の接続と第２の接続との上でデータをスケジュールすることが、ＵＥが第２の接続を介した電力動作モードを出ると決定することに少なくとも部分的に基づくことを含むことができる。本方法はまた、第２の接続を決定することが電力動作モードにあり、第１の時間間隔の間に第２の接続上でデータをスケジュールすることが、ＵＥに送信するために利用可能なデータバッファのサイズに少なくとも部分的に基づくことを含み得る。さらに、本方法は、第２の接続をその電力動作モードから離れたままにするために、第２のＲＡＴに関係する非アクティビティタイマー間隔中に第２の接続上で少なくとも１つのパケットをスケジュールすることを含み得る。本方法はまた、無線リソース制御シグナリング中でＵＥに非アクティビティタイマー間隔をシグナリングすることを含み得る。さらに、本方法は、ＵＥに送信するために利用可能なデータバッファのサイズがしきい値よりも小さいと決定することに少なくとも部分的に基づいて第２の接続上で少なくとも１つのパケットをスケジュールすることを控えることを含み得る。
【００２０】
[0020]別の例では、ワイヤレス通信のための装置が提供される。本装置は、トランシーバ、命令を記憶するように構成されたメモリ、トランシーバおよびメモリと通信可能に結合された少なくとも１つのプロセッサを含む。少なくとも１つのプロセッサは、第１のＲＡＴを使用して第１の接続を介してＵＥにサービスすることと、第２のＲＡＴを使用してアクセスポイントとの第２の接続に関連する電力動作モードでＵＥが構成されるのかどうかを決定することと、ＵＥが第２の接続に関連する電力動作モードで構成されるという決定に少なくとも部分的に基づいて第１の時間間隔中に第２の接続についてのデータをスケジュールすることと、第２の時間間隔中に第１の接続と第２の接続との上でデータをスケジュールすることとを行うように構成される。
【００２１】
[0021]本装置はまた、少なくとも１つのプロセッサが、ＵＥが第２の接続を介した電力動作モードを出ると決定することに少なくとも基づいて第１の接続と第２の接続との上でデータをスケジュールすることを行うように構成されることを含み得る。
【００２２】
[0022]上記および関係する目的を達成するために、１つまたは複数の態様は、以下で十分に記載され、特に特許請求の範囲内で指摘される特徴を備える。以下の説明および添付の図面は、１つまたは複数の態様のいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【００２３】
[0023]説明する態様のより完全な理解を容易にするために、次に添付の図面を参照し、そこにおいて、同様の数字を用いて同様の要素が参照される。これらの図面は、本明細書で説明する態様を限定するものとして解釈すべきではなく、例示的なものにすぎない。
【図面の簡単な説明】
【００２４】
【図１】[0024]本開示の様々な態様による、ワイヤレス通信システムの一例を概念的に示すブロック図。
【図２】[0025]本開示の様々な態様に従って構成されたｅノードＢおよびＵＥの一例を概念的に示すブロック図。
【図３】[0026]本開示の様々な態様による、ＵＥにおける無線アクセス技術のアグリゲーションを概念的に示すブロック図。
【図４】[0027]本開示の様々な態様による、ＵＥとＰＤＮとの間のデータ経路の一例を概念的に示すブロック図。
【図５】[0028]本開示の様々な態様に従って構成されたそれぞれの構成要素とともに、ＵＥおよびｅノードＢの一例を概念的に示すブロック図。
【図６】[0029]本開示の様々な態様による、電力動作モードを決定するための方法を示すフローチャート。
【図７】[0030]本開示の様々な態様による、ワイヤレス通信システムの一例を概念的に示すブロック図。
【図８】[0031]本開示の様々な態様による、通信をスケジュールするための方法を示すフローチャート。
【図９】[0032]本開示の様々な態様による、通信をスケジュールするための方法を示すフローチャート。
【図１０】[0033]本開示の様々な態様による、通信をスケジュールするための方法を示すフローチャート。
【発明を実施するための形態】
【００２５】
[0034]添付の図面に関して以下に記載される発明を実施するための形態は、様々な構成を説明するものであり、本明細書で説明する概念が実施され得る構成のみを表すものではない。発明を実施するための形態は、様々な概念の完全な理解を与えるための具体的な詳細を含む。しかしながら、これらの概念がこれらの特定の詳細なしに実施され得ることは、当業者には明らかであろう。場合によっては、そのような概念を曖昧にすることを回避するために、よく知られている構造および構成要素がブロック図の形態で示される。
【００２６】
[0035]トラフィックアグリゲーションを用いたワイヤレスネットワークにおける通信をスケジュールするための様々な技法について説明する。たとえば、ワイヤレスデバイス（たとえば、ユーザ機器（ＵＥ））は、第１のワイヤレスネットワークにアクセスするために、第１のＲＡＴを使用して第１のアクセスポイントと通信することができ、第２のＲＡＴを使用して第２のアクセスポイントと通信することができ、ここで、第２のアクセスポイントは、第１のアクセスポイントを介して第１のワイヤレスネットワークへの追加のアクセスを容易にし得る。たとえば、第１のアクセスポイントとは異なる無線アクセスネットワーク（ＲＡＮ）の一部であり得る第２のアクセスポイントは、（たとえば、バックホールリンクを介して）第１のアクセスポイントと通信することによって第１のネットワークとワイヤレスデバイスとの間の通信を可能にすることができる。この点について、ワイヤレスデバイスは、第１のワイヤレスネットワークにアクセスするために、それぞれ第１のＲＡＴおよび第２のＲＡＴを使用して第１のアクセスポイントおよび第２のアクセスポイントに接続することができる。パケットは、第１のアクセスポイントと第２のアクセスポイントとからワイヤレスデバイスに同時に通信され得、順序が乱れて到着し、ワイヤレスデバイスによって処理され得る。したがって、ワイヤレスデバイスは、第１のアクセスポイントと第２のアクセスポイントとから受信されたパケットごとに示されるシーケンス番号に少なくとも部分的に基づいてパケットを並べ替え得る。パケットまたは他のデータユニットの並べ替えは、媒体アクセス制御（ＭＡＣ）レイヤ、無線リンク制御（ＲＬＣ）レイヤ、パケットデータコンバージェンスプロトコル（ＰＤＣＰ）レイヤ、インターネットプロトコル（ＩＰ）レイヤ、伝送制御プロトコル（ＴＣＰ）またはＴＣＰ／ＩＰレイヤ、ユーザデータグラムプロトコル（ＵＤＰ）またはＵＤＰ／ＩＰレイヤ、アプリケーションレイヤなどの１つまたは複数のネットワークレイヤにおいて行われ得る。
【００２７】
[0036]一例では、ワイヤレスデバイスは、第１または第２のアクセスポイントとの接続を介してある電力動作モードに入り得る。その電力動作モードは、ワイヤレスデバイスが通信するのを中止する間に電力節約モードまたは他のモードに関係することができる。その電力動作モードは、いくつかの時間期間中に関係する接続についてワイヤレスデバイスの無線リソースを中断することを含むことができ、したがって、信号は、その時間期間中に受信または送信されないことがある。ただし、その電力動作モードでの接続を介していくつかのパケットが受信されないことがあるので、これは、ワイヤレスデバイスにおけるパケット並べ替えを抑止し得、ワイヤレスデバイスとのアクティブ接続を有する第１および／または第２のアクセスポイントは、他の接続がその電力動作モードにあることを知らないことがある。したがって、パケット並べ替えが中断され得、パケットがある時間期間内に受信されず、並べ替えられない場合、パケットはドロップされ得る。
【００２８】
[0037]特定の例では、ワイヤレスデバイスは、（たとえば、接続を介したデータ送信／受信トラフィック非アクティビティを検出すること、電力動作モードによって定義された時間期間中に異なるチャネル上で他のアクセスポイントを発見するために走査することを決定することなどに少なくとも部分的に基づいて）電力を節約するためにアクセスポイントとの接続を介してある電力動作モードに入ることを決定し得る。ワイヤレスデバイスがその電力動作モードにあるとき、アクセスポイントは、パケットが要求されるか、またはさもなければデバイスがその電力動作モードを出るまで、ワイヤレスデバイス宛てのパケットをバッファし得る。いくつかの例では、アクセスポイントは、バッファデータパケットに関してワイヤレスデバイスに通知するために、その電力動作モードにあるワイヤレスデバイスについてビーコン中のトラフィック指示マップ（ＴＩＭ：traffic indication map）ビットセットを保ち得る。これにより、アクセスポイントがワイヤレスデバイスについてデータパケットをバッファしたことをワイヤレスデバイスが検出することが可能になり得、ワイヤレスデバイスは、それに応じて、（たとえば、Ｗｉ−Ｆｉまたは同様の機能中で省電力ポール（ＰＳ−Ｐｏｌｌ：power save-poll）を使用して）データパケットを要求し、および／またはその電力動作モードを出て、アクセスポイントがワイヤレスデバイスについてバッファデータパケットを送信することができるようにアクセスポイントに通知することができる。
【００２９】
[0038]この点について、ワイヤレスデバイスがその電力動作モードにあるとき、データパケットは、送信される前に、数ミリ秒から数百ミリ秒までの可変時間量の間アクセスポイント上でバッファされ得る。ビーコン送信間隔（たとえば、Ｗｉ−Ｆｉにおける１００ミリ秒（ｍｓ））、次のビーコン送信に関するアクセスポイントにおけるデータパケット到着時間、伝送媒体がアクセスポイントにおいてターゲットビーコン送信時間（ＴＢＴＴ）にビジーであることによる遅延ビーコン送信、その電力動作モードにあるときにいくつかのビーコンをスキップするワイヤレスデバイスの挙動（たとえば、いくつかのワイヤレスデバイスは、配信トラフィック指示マップ（ＤＴＩＭ）間隔の倍数においてのみビーコンを処理し得る、（たとえば、伝送媒体上での衝突による）消失／紛失ビーコン、ＰＳ−Ｐｏｌｌハンドシェイクのため、またはワイヤレスデバイスからアクセスポイントへの電力動作モード指示を出るという指示のためにかかる時間など、様々なファクタが可変バッファ継続時間に影響を及ぼし得る。
【００３０】
[0039]いずれの場合も、（たとえば、ＰＤＣＰレイヤにおける）ワイヤレスデバイス上での並べ替えタイムアウトは、ワイヤレスデバイスがその電力動作モードにあるときアクセスポイント上での変動するバッファリング継続時間よりも小さい値であり得る（たとえば、６５ｍｓ）。これは、他のアグリゲート接続上のパケット（たとえば、ＰＤＣＰパケット）が受信されたときにワイヤレスデバイス上での頻繁な並べ替えタイムアウトを生じ得るが、その電力動作モードでの接続を介して送られるパケットは、アクセスポイントにおけるバッファリングにより遅延し、並べ替えキューに１つまたは複数のパケットがある。並べ替えタイムアウトは、並べ替えキューから上位レイヤへのパケットのフラッシング（たとえば、ＵＤＰ／ＩＰ、ＴＣＰ／ＩＰなどのレイヤへのＰＤＣＰパケットのフラッシング）を生じ得、これは、損失パケットを受け、エンドツーエンドアプリケーションに影響を及ぼすことができる。並べ替えタイムアウトに加えて、パケットのフラッシングは、並べ替えられるべきパケットによって使用されるメモリが大きくなりすぎるとトリガされ得る。アクセスポイントからのバッファＰＤＣＰパケットは、おそらく最終的にワイヤレスデバイスに達し得るが、これは、ワイヤレスデバイスのＰＤＣＰレイヤ並べ替え窓が移動する並べ替えタイムアウトの後になり得、遅延ＰＤＣＰパケットは、もはや使用されず、ドロップされる。さらに、任意の量の並べ替えは、ワイヤレスデバイスにおける処理負担を増加させ得、これは、デバイス電力に悪影響を有し得、および／または順が狂ったパケットを一時的に記憶するために追加のメモリを必要とし得る。
【００３１】
[0040]したがって、本明細書で説明する態様は、複数の電力動作モードを可能にするアグリゲート接続を介したそのようなパケットロスを回避することに関する。関係する接続を介して送信されるパケットを受信するために複数の電力動作モードを扱うためにワイヤレスデバイスおよび／またはアクセスポイントにおいて様々な機構が使用され得る。たとえば、第１のアクセスポイントから第１の接続を介して通信を受信するワイヤレスデバイスは、第２のアクセスポイントとの第２の接続がある電力動作モードにあるのかどうかを決定することができる。その電力動作モードは、たとえば、第２の接続がアクセスポイントと通信するためのアクティブリソースを有する接続モードなどの実質的に任意の全電力または制限電力動作モード、第２の接続がいくつかのリソースを介してページング信号を周期的に受信するように制限され得るアイドルモード、第２の接続に関係するトランシーバまたは他の無線周波数（ＲＦ）フロントエンド構成要素がある時間期間の間電源切断されるスリープまたは電源切断モードなどを含むことができる。いずれの場合も、ワイヤレスデバイスは、第１および／または第２の接続を介した通信の１つまたは複数の態様（たとえば、第１の接続を介して通信を受信すること、受信パケットの並べ替え、第１の接続を介して通信を受信することに関係するトーリングまたはタイマーの満了を決定すること、制御パケットを受信することなどに関係する態様）に基づいて第２の接続のための電力動作モードを出るか、またはそれを（たとえば、接続モードまたは他の全電力モードに）切り替えることによって第２の接続のための電力動作モードを決定し得る。具体的には、たとえば、通信の１つまたは複数の態様は、第１および／または第２の接続を介した電力消費モードの指示に対応し得、ここで、電力消費モードの指示は、第１の接続および／または第２の接続を介して受信されたパケットを並べ替えることに関係する並べ替えステータス、パケット並べ替えタイマーに残っている時間の指示または決定、第１の接続および／または第２の接続を介して受信されたパケットが正常に並べ替えられているかどうかに関する指示または決定、不連続受信（ＤＲＸ）非アクティビティタイマーの満了に続いて第１のＲＡＴについて別の電力動作モードに入ることに関係する第１のＲＡＴのＤＲＸ非アクティビティタイマーがトーリングしているのかどうかに関する指示または決定、オン継続時間タイマーの満了に続いて第１のＲＡＴについて別の電力動作モードを出ることに関係する第１のＲＡＴのオン継続時間タイマーが満了したのかどうかに関する指示または決定、第１の接続を介してダウンリンク送信を受信すること、第２の接続を介してその電力動作モードから出ることを示す制御パケットを第１の接続または第２の接続を介して受信することなど、第１および／または第２の接続を介してワイヤレスデバイスによって電力が使用されているという実質的に任意の指示を含み得る。
【００３２】
[0041]別の例では、第１のアクセスポイントは、（たとえば、第２のアクセスポイントからの情報に基づいて）第２の接続がある電力動作モードにあるのかどうかを決定することができ、それに応じて、第２の接続を介してワイヤレスデバイスに送信するためのデータを第２のアクセスポイントに与えることを回避することができる。また別の例では、第１のアクセスポイントは、（たとえば、ワイヤレスデバイスに制御パケットを送信することによって）第２の接続を介した電力動作モードを出るようにワイヤレスデバイスに命令することができ、それに応じて、第２の接続を介してワイヤレスデバイスに送信するためのデータを第２のアクセスポイントに与えることができる。
【００３３】
[0042]本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語はしばしば互換的に使用される。ＣＤＭＡネットワークは、ユニバーサル地上波無線アクセス（ＵＴＲＡ：Universal Terrestrial Radio Access）、ｃｄｍａ２０００などの無線技術を実装し得る。ＵＴＲＡは、広帯域ＣＤＭＡ（ＷＣＤＭＡ（登録商標）：Wideband CDMA）およびＣＤＭＡの他の変形態を含む。ｃｄｍａ２０００は、ＩＳ−２０００、ＩＳ−９５およびＩＳ−８５６規格をカバーする。ＴＤＭＡネットワークは、モバイル通信用グローバルシステム（ＧＳＭ（登録商標））などの無線技術を実装し得る。ＯＦＤＭＡネットワークは、発展型ＵＴＲＡ（Ｅ−ＵＴＲＡ：Evolved UTRA）、ウルトラモバイルブロードバンド（ＵＭＢ：Ultra Mobile Broadband）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡおよびＥ−ＵＴＲＡはＵＭＴＳの一部である。３ＧＰＰ（登録商標）  ＬＴＥおよびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ｃｄｍａ２０００およびＵＭＢは、「第３世代パートナーシッププロジェクト２」（３ＧＰＰ２）と称する団体からの文書に記載されている。本明細書で説明する技法は、上記のワイヤレスネットワークおよび無線技術、ならびに他のワイヤレスネットワークおよび無線技術のために使用され得る。明快のために、本技法のいくつかの態様について以下ではＬＴＥに関して説明し、以下の説明の大部分においてＬＴＥ用語を使用する。
【００３４】
[0043]図１は、本明細書で説明する態様による、ワイヤレス通信システム１００の一例を概念的に示すブロック図である。ワイヤレス通信システム１００は、基地局（またはセル）１０５と、ユーザ機器（ＵＥ）１１５と、コアネットワーク１３０とを含む。基地局１０５のうちの１つまたは複数は、随意に、本明細書でさらに説明するように、複数の接続のうちの少なくとも１つのための決定された電力動作モードに基づいてトラフィックアグリゲーション中の複数の接続を介した１つまたは複数のＵＥ１１５への通信をいつスケジュールすべきかを決定するためにスケジューリング構成要素５２０を含むことができ、および／またはそれに結合され得る。ＵＥ１１５のうちの１つまたは複数は、随意に、本明細書でさらに説明するように、それらの並べ替えのための１つまたは複数の接続を介した通信を受信することを容易にするためにトラフィックアグリゲーション中の複数の接続のうちの１つまたは複数を介した電力動作モードを管理するために通信構成要素５４０を含むことができ、および／またはそれに結合され得る。基地局１０５は、様々な実施形態ではコアネットワーク１３０または基地局１０５の一部であり得る、基地局コントローラ（図示せず）の制御下でＵＥ１１５と通信し得る。基地局１０５は、第１のバックホールリンク１３２を通してコアネットワーク１３０と制御情報および／またはユーザデータを通信し得る。いくつかの実施形態では、基地局１０５は、ワイヤードまたはワイヤレス通信リンクであり得る第２のバックホールリンク１３４を介して互いに直接または間接的に通信し得る。ワイヤレス通信システム１００は、複数のキャリア（異なる周波数の波形信号）上での動作をサポートし得る。マルチキャリア送信機は、複数のキャリア上で同時に変調された信号を送信し得る。たとえば、各通信リンク１２５は、上記で説明した様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。ワイヤレス通信システム１００はまた、複数のフロー上での動作を同時にサポートし得る。いくつかの態様では、複数のフローは、複数のワイヤレスワイドエリアネットワーク（ＷＷＡＮ）またはセルラーフローに対応し得る。他の態様では、複数のフローは、ＷＷＡＮまたはセルラーフローとワイヤレスローカルエリアネットワーク（ＷＬＡＮ）またはＷｉ−Ｆｉフローとの組合せに対応し得る。
【００３５】
[0044]基地局１０５は、１つまたは複数の基地局アンテナを介してＵＥ１１５とワイヤレス通信し得る。基地局１０５のサイトの各々は、それぞれの地理的カバレージエリア１１０に通信カバレージを与え得る。いくつかの実施形態では、基地局１０５は、基地トランシーバ局、無線基地局、アクセスポイント、無線トランシーバ、基本サービスセット（ＢＳＳ）、拡張サービスセット（ＥＳＳ）、ノードＢ、ｅノードＢ、ホームノードＢ、ホームｅノードＢ、または何らかの他の好適な用語で呼ばれることがある。基地局１０５のための地理的カバレージエリア１１０は、カバレージエリアの一部分のみを構成するセクタに分割され得る（図示せず）。ワイヤレス通信システム１００は、異なるタイプ（たとえば、マクロ基地局、マイクロ基地局、および／またはピコ基地局）の基地局１０５を含み得る。異なる技術に対して重複するカバレージエリアがあり得る。概して、基地局１０５−ａは、ＷＷＡＮに対応する基地局であり得（たとえば、ＬＴＥまたはＵＭＴＳマクロセル、ピコセル、フェムトセルなどの基地局）、基地局１０５−ｂは、ＷＬＡＮに対応する基地局であり得る（たとえば、Ｗｉ−Ｆｉホットスポット）。ただし、単一の基地局１０５が、複数のＲＡＴ（たとえば、ＬＴＥとＷｉ−Ｆｉ、ＬＴＥとＵＭＴＳ、ＵＭＴＳとＷｉ−Ｆｉなど）を介した通信をサポートすることができることを諒解されたい。
【００３６】
[0045]実装形態では、ワイヤレス通信システム１００はＬＴＥ／ＬＴＥ−Ａネットワーク通信システムである。ＬＴＥ／ＬＴＥ−Ａネットワーク通信システムでは、発展型ノードＢ（ｅノードＢ）という用語は、概して、基地局１０５について説明するために使用され得る。ワイヤレス通信システム１００は、異なるタイプのｅノードＢが様々な地理的領域にカバレージを与える、異種ＬＴＥ／ＬＴＥ−Ａネットワークであり得る。たとえば、各ｅノードＢ１０５は、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥ１１５によるネットワークプロバイダとの無制限アクセスを可能にし得る。ピコセルは、比較的小さい地理的エリア（たとえば、建築物）をカバーし得、サービスに加入しているＵＥ１１５によるネットワークプロバイダとの無制限アクセスを可能にし得る。フェムトセルは、比較的小さい地理的エリア（たとえば、自宅）をカバーし得、無制限アクセスに加えて、フェムトセルとの関連を有するＵＥ１１５（たとえば、限定加入者グループ（ＣＳＧ：closed subscriber group）中のＵＥ１１５、自宅内のユーザのためのＵＥ１１５など）による制限付きアクセスをも可能にし得る。マクロセルのためのｅノードＢ１０５はマクロｅノードＢと呼ばれることがある。ピコセルのためのｅノードＢ１０５はピコｅノードＢと呼ばれることがある。また、フェムトセルのためのｅノードＢ１０５はフェムトｅノードＢまたはホームｅノードＢと呼ばれることがある。ｅノードＢ１０５は、１つまたは複数の（たとえば、２つ、３つ、４つなどの）セルをサポートし得る。ワイヤレス通信システム１００は、ＵＥ１１５のうちの１つまたは複数によるＬＴＥおよびＷＬＡＮまたはＷｉ−Ｆｉの使用をサポートし得る。
【００３７】
[0046]コアネットワーク１３０は、第１のバックホールリンク１３２（たとえば、Ｓ１インターフェースなど）を介してｅノードＢ１０５または他の基地局１０５と通信し得る。ｅノードＢ１０５はまた、たとえば、第２のバックホールリンク１３４（たとえば、Ｘ２インターフェースなど）を介しておよび／または第１のバックホールリンク１３２を介して（たとえば、コアネットワーク１３０を通して）直接または間接的に、互いに通信し得る。ワイヤレス通信システム１００は同期動作または非同期動作をサポートし得る。同期動作の場合、ｅノードＢ１０５は同様のフレームタイミングを有し得、異なるｅノードＢ１０５からの送信は近似的に時間的に整合され得る。非同期動作の場合、ｅノードＢ１０５は異なるフレームタイミングを有し得、異なるｅノードＢ１０５からの送信は時間的に整合されないことがある。本明細書で説明する技法は、同期動作または非同期動作のいずれにも使用され得る。
【００３８】
[0047]ＵＥ１１５は、ワイヤレス通信システム１００全体にわたって分散され得、各ＵＥ１１５は固定またはモバイルであり得る。ＵＥ１１５はまた、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれることがある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥ１１５は、マクロｅノードＢ、ピコｅノードＢ、フェムトｅノードＢ、リレーなどと通信することが可能であり得る。
【００３９】
[0048]ワイヤレス通信システム１００に示されている通信リンク１２５は、ＵＥ１１５からｅノードＢ１０５へのアップリンク（ＵＬ）送信および／またはｅノードＢ１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。
【００４０】
[0049]ワイヤレス通信システム１００のいくつかの態様では、ＵＥ１１５は、２つ以上のｅノードＢ１０５でキャリアアグリゲーション（ＣＡ）をサポートするように構成され得る。キャリアアグリゲーションのために使用されるｅノードＢ１０５はコロケートされ得るか、または高速接続を通して接続され得る。いずれの場合も、ＵＥ１１５とｅノードＢ１０５との間のワイヤレス通信のためのコンポーネントキャリア（ＣＣ）のアグリゲーションを協調させることは、キャリアアグリゲーションを実行するために使用されている様々なセル間で情報が容易に共有され得るので、より容易に行われ得る。キャリアアグリゲーションのために使用されるｅノードＢ１０５がコロケートされない（たとえば、遠くに離れているかまたはそれらの間の高速接続を有しない）とき、コンポーネントキャリアのアグリゲーションを協調させることは、追加の態様を伴い得る。
【００４１】
[0050]さらに、たとえば、いくつかの基地局１０５は、上記で説明したようにキャリアアグリゲーションに基づいて可能になり得る、異なるＲＡＴを使用する基地局が（たとえば、所与のＵＥ１１５のために）両方の基地局からのトラフィックをアグリゲートするために通信することができるように、トラフィックアグリゲーションをサポートすることができる。たとえば、ＵＥ１１５−ａは、基地局１０５−ａおよび基地局１０５−ｂと通信することができ、基地局１０５−ｂは、関係するＷＷＡＮに通信するためにＵＥ１１５−ａと基地局１０５−ａとの間のトラフィックのアグリゲーションを協調させるために基地局１０５−ａと通信することができる。したがって、一例では、ＵＥ１１５−ａは、１つまたは複数のトランシーバを使用して、ＬＴＥ通信およびＷｉ−Ｆｉ通信をサポートし得る。この点について、たとえば、ＵＥ１１５−ａが、それぞれのＲＡＴを使用して異なるＲＡＮを動作させる基地局１０５−ａと基地局１０５−ｂとに第１のワイヤレスネットワークのためのデータを通信するように、ＵＥ１１５−ａのためのトラフィックアグリゲーションが確立され得る。基地局１０５−ｂは、関係する第１のワイヤレスネットワークにおいて通信するために、基地局１０５−ａとの間でデータを与えることができる。この構成は、ＵＥ１１５−ａについてスループットの増加または他の接続性プロパティの改善を可能にする。さらに、トラフィックアグリゲーションは、この点について、対応するシーケンス番号をもつパケットまたはデータユニットを有する１つまたは複数のネットワークレイヤで行われ得、したがって、パケットまたはデータユニットがＵＥ１１５−ａにおいて順序が乱れて受信され得、したがって、ＵＥ１１５−ａは、パケットを並べ替えることができる。たとえば、トラフィックアグリゲーションは、ＭＡＣレイヤ、ＲＬＣレイヤ、ＰＤＣＰレイヤ、ＩＰレイヤ、ＴＣＰまたはＴＣＰ／ＩＰレイヤ、ＵＤＰまたはＵＤＰ／ＩＰレイヤ、１つまたは複数のアプリケーションレイヤなどを介して行われ得る。
【００４２】
[0051]図２は、本明細書で説明する態様に従って構成されたｅノードＢ２１０およびＵＥ２５０の例を概念的に示すブロック図である。たとえば、図２に示されているように、システム２００の基地局／ｅノードＢ２１０およびＵＥ２５０は、それぞれ、図１中の基地局／ｅノードＢのうちの１つおよびＵＥのうちの１つであり得る。したがって、基地局／ｅノードＢ２１０は、随意に、本明細書でさらに説明するように、複数の接続のうちの少なくとも１つのための決定された電力動作モードに基づいてトラフィックアグリゲーション中の複数の接続を介した１つまたは複数のＵＥ２５０への通信をいつスケジュールすべきかを決定するためにスケジューリング構成要素５２０を含むことができ、および／またはそれに結合され得る。ＵＥ２５０は、随意に、本明細書でさらに説明するように、それらの並べ替えのための１つまたは複数の接続を介した通信を受信することを容易にするためにトラフィックアグリゲーション中の複数の接続のうちの１つまたは複数を介した電力動作モードを管理するために通信構成要素５４０を含むことができ、および／またはそれに結合され得る。いくつかの態様では、ｅノードＢ２１０は、本明細書で説明するように、トラフィックアグリゲーションをサポートし得る。いくつかの態様では、ＵＥ２５０も、トラフィックアグリゲーションをサポートし得る。ＵＥ２５０は、ｅノードＢ２１０または他のネットワークエンティティから、トラフィックアグリゲーションのための構成情報を受信し得る。基地局２１０はアンテナ２３４1〜tを装備し得、ＵＥ２５０はアンテナ２５２1〜rを装備し得、ここにおいて、ｔおよびｒは１よりも大きいかまたはそれに等しい整数である。
【００４３】
[0052]基地局２１０において、基地局送信プロセッサ２２０は、基地局データソース２１２からデータを受信し、基地局コントローラ／プロセッサ２４０から制御情報を受信し得る。制御情報は、ＰＢＣＨ、ＰＣＦＩＣＨ、物理ハイブリッド自動再送要求／要求（ＨＡＲＱ）インジケータチャネル（ＰＨＩＣＨ）、ＰＤＣＣＨなどの上で搬送され得る。データは、ＰＤＳＣＨなどの上で搬送され得る。基地局送信プロセッサ２２０は、データシンボルおよび制御シンボルを取得するために、それぞれデータおよび制御情報を処理（たとえば、符号化およびシンボルマッピング）し得る。基地局送信プロセッサ２２０はまた、たとえば、ＰＳＳ、ＳＳＳ、およびセル固有基準信号（ＲＳ：reference signal）のための、基準シンボルを生成し得る。基地局送信（ＴＸ）多重入力多重出力（ＭＩＭＯ）プロセッサ２３０は、適用可能な場合、データシンボル、制御シンボル、および／または基準シンボルにおいて空間処理（たとえば、プリコーディング）を実施し得、基地局変調器／復調器（ＭＯＤ／ＤＥＭＯＤ）２３２1〜tに出力シンボルストリームを与え得る。各基地局変調器／復調器２３２は、出力サンプルストリームを取得するために、（たとえば、ＯＦＤＭなどのために）それぞれの出力シンボルストリームを処理し得る。各基地局変調器／復調器２３２はさらに、ダウンリンク信号を取得するために、出力サンプルストリームを処理（たとえば、アナログへの変換、増幅、フィルタ処理、およびアップコンバート）し得る。変調器／復調器２３２1〜tからのダウンリンク信号は、それぞれアンテナ２３４1〜tを介して送信され得る。
【００４４】
[0053]ＵＥ２５０において、ＵＥアンテナ２５２1〜rは、基地局２１０からダウンリンク信号を受信し得、受信信号をそれぞれＵＥ変調器／復調器（ＭＯＤ／ＤＥＭＯＤ）２５４1〜rに与え得る。各ＵＥ変調器／復調器２５４は、入力サンプルを取得するために、それぞれの受信信号を調整（たとえば、フィルタ処理、増幅、ダウンコンバート、およびデジタル化）し得る。各ＵＥ変調器／復調器２５４はさらに、受信シンボルを取得するために、（たとえば、ＯＦＤＭなどのために）入力サンプルをさらに処理することができる。ＵＥ  ＭＩＭＯ検出器２５６は、すべてのＵＥ変調器／復調器２５４1〜rから受信シンボルを取得し、適用可能な場合は受信シンボルに対してＭＩＭＯ検出を実行し、検出シンボルを与え得る。ＵＥ受信プロセッサ２５８は、検出シンボルを処理（たとえば、復調、デインターリーブ、および復号）し、ＵＥ２５０の復号されたデータをＵＥデータシンク２６０に与え、復号された制御情報をＵＥコントローラ／プロセッサ２８０に与え得る。
【００４５】
[0054]アップリンク上では、ＵＥ２５０において、ＵＥ送信プロセッサ２６４は、ＵＥデータソース２６２から（たとえば、ＰＵＳＣＨのための）データを受信し、処理し得、ＵＥコントローラ／プロセッサ２８０から（たとえば、ＰＵＣＣＨのための）制御情報を受信し、処理し得る。ＵＥ送信プロセッサ２６４はまた、基準信号のための基準シンボルを生成することができる。ＵＥ送信プロセッサ２６４からのシンボルは、適用可能な場合、ＵＥ  ＴＸ  ＭＩＭＯプロセッサ２６６によってプリコーディングされ、（たとえば、ＳＣ−ＦＤＭなどのために）ＵＥ変調器／復調器２５４1〜rによってさらに処理され、基地局２１０に送信され得る。基地局２１０において、ＵＥ２５０からのアップリンク信号は、基地局アンテナ２３４によって受信され、基地局変調器／復調器２３２によって処理され、適用可能な場合は基地局ＭＩＭＯ検出器２３６によって検出され、ＵＥ２５０によって送られた復号されたデータと制御情報とが取得するために、基地局受信プロセッサ２３８によってさらに処理され得る。基地局受信プロセッサ２３８は、復号されたデータを基地局データシンク２４６に与え、復号された制御情報を基地局コントローラ／プロセッサ２４０に与え得る。
【００４６】
[0055]基地局コントローラ／プロセッサ２４０およびＵＥコントローラ／プロセッサ２８０は、それぞれ、基地局２１０およびＵＥ２５０における動作を指示し得る。ＵＥ２５０におけるＵＥコントローラ／プロセッサ２８０ならびに／または他のプロセッサおよびモジュールはまた、たとえば、図５に示された機能ブロック、および／または本明細書で説明する技法のための他のプロセス（たとえば、図６および図８〜図１０に示されたフローチャート）を実行するか、またはその実行を指示し得る。いくつかの態様では、これらの機能ブロックおよび／またはプロセスの実行の少なくとも一部分は、ＵＥコントローラ／プロセッサ２８０中のブロック２８１によって実行され得る。基地局メモリ２４２およびＵＥメモリ２８２は、それぞれ基地局２１０およびＵＥ２５０のためのデータおよびプログラムコードを記憶し得る。たとえば、ＵＥメモリ２８２は、基地局２１０および／または別の基地局によって与えられる多重接続性についての構成情報を記憶し得る。スケジューラ２４４は、ダウンリンクおよび／またはアップリンク上でのデータ送信のためにＵＥ２５０をスケジュールするために使用され得る。
【００４７】
[0056]一構成では、ＵＥ２５０は、第１のＲＡＴを使用して第１のサービングノードとの第１の接続を確立するための手段、第２のＲＡＴを使用して第２のサービングノードとの第２の接続を確立するための手段、第１の接続のための電力消費モードの指示を受信するための手段、および／または指示に少なくとも部分的に基づいて第２の接続の電力動作モードを決定するための手段を含み得る。一態様では、上述の手段は、上述の手段によって具陳された機能を実行するように構成された、ＵＥコントローラ／プロセッサ２８０、ＵＥメモリ２８２、ＵＥ受信プロセッサ２５８、ＵＥ  ＭＩＭＯ検出器２５６、ＵＥ変調器／復調器２５４、および／またはＵＥアンテナ２５２であり得る（および／またはそれに結合され得る）。別の態様では、上述の手段は、上述の手段によって具陳された機能を実行するように構成されたモジュール、構成要素、または任意の装置であり得る。そのようなモジュール、構成要素、または装置の例について、図５に関して説明し得る。
【００４８】
[0057]一構成では、基地局２１０は、第１のＲＡＴを使用して第１の接続を介してＵＥにサービスするための手段、第２のＲＡＴを使用してアクセスポイントとの第２の接続に関連する電力動作モードでＵＥが構成されるのかどうかを決定するための手段、ＵＥが第２の接続に関連する電力動作モードで構成されるという決定に少なくとも部分的に基づいて第１の時間間隔中に第２の接続についてのデータをスケジュールするための手段、および／または第２の時間間隔中に第１の接続と第２の接続との上でデータをスケジュールするための手段を含み得る。基地局２１０はまた、第２のＲＡＴを使用するアクセスポイントを通じて第２の接続を介してＵＥと通信するための手段、第２の接続を介した電力動作モードを出ることを示す制御パケットを第１の接続または第２の接続を介してＵＥに送信するための手段、および／または制御パケットを送信することに少なくとも部分的に基づいて第１の接続および第２の接続上での送信のためのデータをスケジュールするための手段を含み得る。基地局２１０は、第２の接続がある電力動作モードにあるのかどうかを示す情報をアクセスポイントから受信することに少なくとも部分的に基づいて第２の接続がその電力動作モードにあるのかどうかを決定するための手段、および／または第２の接続がその電力動作モードにあるのかどうかに少なくとも部分的に基づいて第１の接続および第２の接続上での送信のためのデータをスケジュールするための手段をさらに含み得る。一態様では、上述の手段は、上述の手段によって具陳された機能を実行するように構成された、基地局コントローラ／プロセッサ２４０、基地局メモリ２４２、基地局受信プロセッサ２３８、基地局ＭＩＭＯ検出器２３６、基地局変調器／復調器２３２、および／または基地局アンテナ２３４であり得る（および／またはそれに結合され得る）。別の態様では、上述の手段は、上述の手段によって具陳された機能を実行するように構成されたモジュール、構成要素、または任意の装置であり得る。そのようなモジュール、構成要素、または装置の例について、図５に関して説明し得る。
【００４９】
[0058]図３は、本明細書で説明する態様による、ＵＥにおける無線アクセス技術のアグリゲーションを概念的に示すブロック図である。アグリゲーションは、１つまたは複数のコンポーネントキャリア１〜Ｎ（ＣＣ1〜ＣＣN）を使用してｅノードＢ３０５−ａと通信し、および／またはＷＬＡＮコンポーネントキャリア３４０を使用してＷＬＡＮアクセスポイント（ＡＰ）３０５−ｂと通信することができる、マルチモードＵＥ３１５を含むシステム３００中で行われ得る。ｅノードＢ３０５−ａは、随意に、本明細書でさらに説明するように、複数の接続のうちの少なくとも１つのための決定された電力動作モードに基づいてトラフィックアグリゲーション中の複数の接続を介した１つまたは複数のＵＥ３１５への通信をいつスケジュールすべきかを決定するためにスケジューリング構成要素５２０を含むことができ、および／またはそれに結合され得る。ＵＥ３１５は、随意に、本明細書でさらに説明するように、それらの並べ替えのための１つまたは複数の接続を介した通信を受信することを容易にするためにトラフィックアグリゲーション中の複数の接続のうちの１つまたは複数を介した電力動作モードを管理するために通信構成要素５４０を含むことができ、および／またはそれに結合され得る。マルチモードＵＥは、この例では、２つ以上の無線アクセス技術（ＲＡＴ）をサポートするＵＥを指すことがある。たとえば、ＵＥ３１５は、少なくともＷＷＡＮ無線アクセス技術（たとえば、ＬＴＥ）とＷＬＡＮ無線アクセス技術（たとえば、Ｗｉ−Ｆｉ）とをサポートする。マルチモードＵＥはまた、ＲＡＴのうちの１つまたは複数を使用するキャリアアグリゲーションをサポートし得る。ＵＥ３１５は、図１、図２、図３、図４、および図５のＵＥのうちの１つの一例であり得る。ｅノードＢ３０５−ａは、図１、図２、図３、図４、および図５のｅノードＢまたは基地局のうちの１つの一例であり得る。図３には、１つのＵＥ３１５、１つのｅノードＢ３０５−ａ、および１つのＡＰ３０５−ｂのみが示されているが、システム３００は、任意の数のＵＥ３１５、ｅノードＢ３０５−ａ、および／またはＡＰ３０５−ｂを含むことができることを諒解されよう。特定の一例では、ＵＥ３１５は、１つのＬＴＥコンポーネントキャリア３３０を介して１つのｅＮＢ３０５と通信しながら、別のコンポーネントキャリア３３０を介して別のｅＮＢ３０５と通信することができる。
【００５０】
[0059]ｅノードＢ３０５−ａは、ＬＴＥコンポーネントキャリアＣＣ1〜ＣＣN３３０上の順方向（ダウンリンク）チャネル３３２−１〜３３２−Ｎを介してＵＥ３１５に情報を送信することができる。さらに、ＵＥ３１５は、ＬＴＥコンポーネントキャリアＣＣ1〜ＣＣN上の逆方向（アップリンク）チャネル３３４−１〜３３４−Ｎを介してｅノードＢ３０５−ａに情報を送信することができる。同様に、ＡＰ３０５−ｂは、ＷＬＡＮコンポーネントキャリア３４０上の順方向（ダウンリンク）チャネル３５２を介してＵＥ３１５に情報を送信し得る。さらに、ＵＥ３１５は、ＷＬＡＮコンポーネントキャリア３４０の逆方向（アップリンク）チャネル３５４を介してＡＰ３０５−ｂに情報を送信し得る。
【００５１】
[0060]一例では、ｅＮＢ３０５−ａは、ｅＮＢ３０５−ａに対応するネットワークにデータを通信するためにコンポーネントキャリア３３０−１（および／またはコンポーネントキャリア３３０−１〜３３０−Ｎ）ならびにＷＬＡＮコンポーネントキャリア３４０を利用するようにＵＥ３１５を構成することができる。一例では、複数のＷＬＡＮコンポーネントキャリア３４０が存在し得る。この点について、トラフィックアグリゲーションは、ｅＮＢ３０５−ａにＷＬＡＮコンポーネントキャリア３４０を介して受信されるトラフィックを通信し、ｅＮＢ３０５−ａからＷＬＡＮコンポーネントキャリア３４０を介してＵＥ３１５にトラフィックを通信するＡＰ３０５−ｂによって与えられる。したがって、ｅＮＢ３０５−ａは、ＵＥ３１５と対応するネットワークとの間の通信を容易にするために、様々なキャリア（少なくともコンポーネントキャリア３３０−１およびＷＬＡＮコンポーネントキャリア３４０）を利用することができる。ＵＥ３１５はまた、ＡＰ３０５−ｂまたは別のＷＬＡＮ  ＡＰに関係する別のネットワークにアクセスするように構成され得る。説明した構成は、ＵＥ３１５の上位レイヤおよび／またはユーザにアグノスティックであり得るので、これは、ＵＥ３１５においてＷＬＡＮについて予想されるネットワーク発見および選択と実際のネットワーク発見および選択との間に矛盾を生じ得る。本明細書で説明する態様は、ＵＥ３１５の動作を定義し、ここで、ＷＬＡＮコンポーネントキャリア３４０は、様々なコンポーネントキャリア３３０−１〜３３０−Ｎおよび３４０を使用してＵＥ３１５からｅＮＢ３０５−ａへのトラフィックアグリゲーションをサポートし、ここで、トラフィックアグリゲーションは、説明したように、順序外れに受信され得るパケットまたは他のデータユニットを並べ替えるために１つまたは複数のネットワークレイヤで行われ得る。
【００５２】
[0061]図３ならびに開示する実施形態のうちのいくつかに関連する他の図の様々なエンティティについて説明する際、説明の目的で、３ＧＰＰ  ＬＴＥまたはＬＴＥ−Ａワイヤレスネットワークに関連する名称が使用される。ただし、システム３００は、限定はしないが、ＯＦＤＭＡワイヤレスネットワーク、ＣＤＭＡネットワーク、３ＧＰＰ２  ＣＤＭＡ２０００ネットワークなどの他のネットワークにおいて動作することができることを諒解されたい。
【００５３】
[0062]図４は、本明細書で説明する態様による、ＵＥ４１５とＥＰＣ４８０との間のデータ経路４４５−ａおよび４４５−ｂの一例を概念的に示すブロック図である。ｅノードＢ４０５は、随意に、本明細書でさらに説明するように、複数の接続のうちの少なくとも１つのための決定された電力動作モードに基づいてトラフィックアグリゲーション中の複数の接続を介した１つまたは複数のＵＥ４１５への通信をいつスケジュールすべきかを決定するためにスケジューリング構成要素５２０を含むことができ、および／またはそれに結合され得る。ＵＥ４１５は、随意に、本明細書でさらに説明するように、それらの並べ替えのための１つまたは複数の接続を介した通信を受信することを容易にするためにトラフィックアグリゲーション中の複数の接続のうちの１つまたは複数を介した電力動作モードを管理するために通信構成要素５４０を含むことができ、および／またはそれに結合され得る。データ経路４４５−ａ、４４５−ｂは、ｅノードＢ４０５およびＷＬＡＮ  ＡＰ４０６のリソースを使用して送信するためにトラフィックをアグリゲートするためのワイヤレス通信システム４０１のコンテキスト内で示されている。このベアラ構成は、トラフィックアグリゲーション（たとえば、ＲＡＮアグリゲーション）において、ｅノードＢ４０５を通過するデータ経路４４５−ａと、ＷＬＡＮ  ＡＰ４０６とｅノードＢ４０５とを通過するデータ経路４４５−ｂとを含む。図２のシステム２００は、ワイヤレス通信システム４０１の部分の一例であり得る。
【００５４】
[0063]ワイヤレス通信システム４０１は、ＵＥ４１５と、ｅノードＢ４０５と、ＷＬＡＮ  ＡＰ４０６と、発展型パケットコア（ＥＰＣ）４８０と、ＰＤＮ４４０と、ピアエンティティ４５５とを含み得る。ＵＥ４１５は、本明細書で説明するように、トラフィックアグリゲーションをサポートするように構成され得るが、トラフィックアグリゲーションは、ｅノードＢ４０５によって制御され得、ＵＥ４１５の上位レイヤにアグノスティックであり得る。ＥＰＣ４８０は、モビリティ管理エンティティ（ＭＭＥ）４３０と、サービングゲートウェイ（ＳＧＷ）４３２と、ＰＤＮゲートウェイ（ＰＧＷ）４３４とを含み得る。ホーム加入者システム（ＨＳＳ：home subscriber system）４３５は、ＭＭＥ４３０に通信可能に結合され得る。ＵＥ４１５は、ＬＴＥ無線機４２０とＷＬＡＮ無線機４２５とを含み得る。ＵＥ４１５が１つまたは複数のそのような無線機を含むことができること、および／またはそれらの無線機が統合され得ることを諒解されたい。したがって、一例では、ＷＬＡＮ無線機４２５に加えて、ＬＴＥ無線機４２０もＷＬＡＮ無線機を含むことができ（またはＷＬＡＮ信号を処理するように構成され得）、この例では、ＵＥ４１５は、２つのＷＬＡＮインターフェース、すなわち、ＬＴＥ無線機４２０中のＷＬＡＮインターフェースとＷＬＡＮ無線機４２５中のＷＬＡＮインターフェースとを含む。これらの要素は、前または後の図を参照しながら上記で説明したそれらのカウンターパートのうちの１つまたは複数の態様を表し得る。たとえば、ＵＥ４１５は、図１、図２、図３、図５中のＵＥの一例であり得、ｅノードＢ４０５−ａは、図１、図２、図３、図５のｅノードＢ／基地局の一例であり得、ＷＬＡＮ  ＡＰ４０６は、図１、図３、図５で説明するＡＰの一例であり得、および／またはＥＰＣ４８０は、図１のコアネットワークの一例であり得る。
【００５５】
[0064]一例では、ｅノードＢ４０５−ａは、説明したように、１つまたは複数のＬＴＥコンポーネントキャリアに関係し得る、ＰＤＮ４４０へのアクセスをＵＥ４１５に与えることが可能であり得る。さらに、たとえば、ＷＬＡＮ  ＡＰ４０６は、ｅノードＢ４０５を通過することによってＰＤＮ４４０へのアクセスをＵＥ４１５に与えることが可能であり得る。したがって、ｅノードＢ４０５とＷＬＡＮ  ＡＰ４０６とは、ＵＥ４１５との間のトラフィックをアグリゲートするために通信することができる。したがって、ＵＥ４１５は、一方の接続が第１のアクセスポイント（ｅノードＢ４０５）へのものであり、他方の接続が第２のアクセスポイント（ＷＬＡＮ  ＡＰ４０６）へのものであり、第２のアクセスポイントが、ＵＥ４１５のためのトラフィックをアグリゲートするために第１のアクセスポイントと通信する、トラフィックアグリゲーションを伴い得る。この構成を使用して、ＵＥ４１５のために確立される、ＥＰＣ４８０との（たとえば、図３に示すような）ベアラおよび／または関係するコンポーネントキャリアは、ｅノードＢ４０５および／またはＷＬＡＮ  ＡＰ４０６を用いたものであり得る。一例では、ＵＥ４１５が、ＥＰＣ４０８とｅノードＢ４０５との間で、および（ｅノードＢ４０５を介して）ＥＰＣ４８０とＷＬＡＮ  ＡＰ４０６との間で確立される別個のベアラを有する、ベアラ選択が構成され得る。この例では、ＵＥ４１５とｅノードＢ４０５／ＷＬＡＮ  ＡＰ４０６との間のキャリアにマッピングすることができる、それぞれのベアラを介して、データトラフィック（たとえば、ＩＰパケットまたは他のデータユニット）が送られる。別の例では、ＷＬＡＮ  ＡＰ４０６キャリアの場合でもＵＥ４１５ベアラがｅノードＢ４０５ＥＰＣ４８０の間にある、ＲＬＣ／ＰＤＣＰレベルアグリゲーションが構成され得る。この例では、データトラフィック（たとえば、ＩＰパケット）は、ＲＬＣ／ＰＤＣＰレベルにおいてアグリゲートされ、ＵＥ４１５に、またはｅノードＢ４０５およびＷＬＡＮ  ＡＰ４０６とのそれぞれのキャリアに通信される。
【００５６】
[0065]たとえば、ｅノードＢ４０５からＵＥ４１５へのダウンリンク（ＤＬ）ＰＤＣＰパケットは、ＬＴＥ無線機４２０とＷＬＡＮ無線機４２５とによる受信のためにＬＴＥ接続とＷＬＡＮ接続とにわたって分割され得る。たとえば、ｅノードＢ４０５は、（たとえば、ｅノードＢ４０５からＷＬＡＮ  ＡＰ４０６へ、次いでＵＥ４１５へのデータ経路４４５−ｂをトラバースするためにＷＬＡＮを介してＤＬ  ＰＤＣＰパケットをスケジュールすることができる。ＵＥ４１５は、単独で発生するＬＴＥリンクレイヤ送信およびＷＬＡＮリンクレイヤ送信として順が狂ったＰＤＣＰパケットを受信し得る。したがって、ＵＥ４１５は、上位レイヤにパケットを送信する前に、シーケンス番号に基づいてＰＤＣＰレイヤにおいてパケット（説明したように、トラフィックアグリゲーション中の他のネットワークレイヤ中の他のデータユニット）を並べ替えるように構成され得る。さらに、この点について、ＵＥ４１５は、並べ替えキュー中に保持されたパケットをフラッシングして出し、並べ替え窓を移動するための並べ替えタイムアウトを定義することができ、消失したシーケンス番号が付けられたパケットが並べ替え穴を作成し、並べ替えタイムアウトが満了する前にＵＥ４１５がそのパケットを受信しない場合、これは、上位レイヤにおいてデータ損失を作成することになる。このシナリオは、別の接続の電力消費モードに基づいて１つの接続の電力動作モードを制御する本明細書で説明する態様を使用して低減され得る。
【００５７】
[0066]図４の態様についてＬＴＥに関して説明したが、アグリゲーションおよび／または多重接続に関する同様の態様はまた、ＵＭＴＳあるいは他の同様のシステムまたはネットワークワイヤレス通信無線技術に関して実装され得る。
【００５８】
[0067]図５は、本明細書で説明する態様に従って構成されたｅノードＢ５０５、ＵＥ５１５、および構成要素の一例を概念的に示すブロック図５００である。本明細書で図５と併せて説明する図６および図８〜図１０に、本明細書で説明する態様による例示的な方法６００、８００、９００、および１０００を示す。図６および図８〜図１０において以下で説明する動作は、特定の順序でおよび／または例示的な構成要素によって実行されるものとして提示されるが、アクションの順序およびアクションを実行する構成要素は、実装形態に応じて変更され得ることを理解されたい。その上、以下のアクションまたは機能は、特別にプログラムされたプロセッサ、特別にプログラムされたソフトウェアまたはコンピュータ可読媒体を実行するプロセッサによって、あるいは説明するアクションまたは機能を実行することが可能なハードウェア構成要素および／またはソフトウェア構成要素の任意の他の組合せによって実行され得ることを理解されたい。
【００５９】
[0068]図５を参照すると、ブロック図５００の基地局／ｅノードＢ５０５、ＷＬＡＮ  ＡＰ５０６、およびＵＥ５１５は、様々な図で説明する基地局／ｅノードＢ、ＡＰ、および／またはＵＥのうちの１つであり得る。たとえば、ＵＥ５１５は、ワイヤレスネットワークにアクセスするためにｅＮＢ５０５と通信することができ、それの例について、図１〜図４において説明した。一例では、ＵＥ５１５は、ＵＥ１１５、ＵＥ２５０、ＵＥ３１５、ＵＥ４１５などを含み得、ｅＮＢ５０５は、アクセスポイント１０５、ｅノードＢ２１０、ｅノードＢ３０５−ａ、ｅノードＢ４０５などを含み得、ＷＬＡＮ  ＡＰ５０６は、アクセスポイント１０５、ＡＰ３０５−ｂ、ＷＬＡＮ  ＡＰ４０６などを含み得る。一態様では、ｅＮＢ５０５およびＵＥ５１５は、ダウンリンク信号を介してそれの上で通信するための１つまたは複数のダウンリンクチャネルを確立していることがあり、ダウンリンク信号５０９は、構成された通信リソース上でｅＮＢ５０５からＵＥ５１５に（たとえば、シグナリングにおいて）制御および／またはデータメッセージを通信するために、（たとえば、トランシーバ５５９を介して）ｅＮＢ５０５によって送信され、（たとえば、トランシーバ５０９を介して）ＵＥ５１５によって受信され得る。その上、たとえば、ｅＮＢ５０５およびＵＥ５１５は、アップリンク信号を介してそれの上で通信するための１つまたは複数のアップリンクチャネルを確立していることがあり、アップリンク信号は、構成された通信リソース上でＵＥ５１５からｅＮＢ５０５に（たとえば、シグナリングにおいて）制御および／またはデータメッセージを通信するために、（たとえば、トランシーバ５０９を介して）ＵＥ５１５によって送信され、（たとえば、トランシーバ５５９を介して）ｅＮＢ５０５によって受信され得る。
【００６０】
[0069]一例では、ｅノードＢ５０５およびＵＥ５１５は、第１の無線アクセス技術（ＲＡＴ）（たとえば、ＬＴＥなどのＷＷＡＮ  ＲＡＴ）を使用して第１の通信リンク５２５を介してダウンリンクおよび／またはアップリンク通信を通信し得る。ＷＬＡＮ  ＡＰ５０６およびＵＥ５１５はまた、第２の無線アクセス技術（ＲＡＴ）（たとえば、ＷＬＡＮ  ＲＡＴ）を使用して第２の通信リンク５２６を介して通信し得る。図示していないが、ＷＬＡＮ  ＡＰ５０６が第２のＲＡＴを使用してＵＥ５１５と信号を通信するためのトランシーバをも含むことができることを諒解されたい。通信リンク５２５、５２６の各々は、図１の通信リンク１２５の一例であり得る。さらに、たとえば、ｅノードＢ５０５は、ＲＡＮアグリゲーションと呼ばれることもあるトラフィックアグリゲーションを構成し、それをＵＥ５１５に与えるためにＷＬＡＮ  ＡＰ５０６と通信することができ、したがって、ｅノードＢ５０５とＷＬＡＮ  ＡＰ５０６とを介した無線アクセスを使用することによってＵＥ５１５とｅノードＢ５０５に関係するネットワークとの間でトラフィックが通信され得る（たとえば、ここで、ＷＬＡＮ  ＡＰ  ５０６は、ｅノードＢ５０５とＷＬＡＮ  ＡＰ５０６との間でバックホールリンク５３２または他のリンクを介してＵＥ５１５との間で通信するためにｅノードＢ５０５との間でトラフィックを受信／提供することができる）。ｅノードＢ５０５および／またはＷＬＡＮ  ＡＰ５０６との接続のうちの１つまたは複数への追加または代替としてＵＥ５１５について他の接続がアグリゲートされ得ることを諒解されたい。たとえば、ＵＥ５１５において１つまたは複数の追加または代替のＲＡＴについて他の接続がアグリゲートされ得、本明細書で説明する概念は、トラフィックアグリゲーション中のパケット損失を回避するためにＲＡＴのうちの１つまたは複数を介した電力動作モードを扱うために適用され得る。
【００６１】
[0070]一態様では、ＵＥ５１５は、たとえば、１つまたは複数のバス５０７を介して通信可能に結合され得る１つまたは複数のプロセッサ５０３および／またはメモリ５０４を含み得、（たとえば、本明細書では第１の接続とも呼ぶ第１の通信リンク５２５を使用して）第１のワイヤレスネットワークにアクセスするためにｅノードＢ５０５のＲＡＴ（たとえば、ＬＴＥ、ＵＭＴＳなど）を使用する第１のアクセスポイントとしてｅノードＢ５０５と通信するためと、（たとえば、本明細書では第２の接続とも呼ぶ第２の通信リンク５２６を使用して）第２のワイヤレスネットワークにアクセスするためにＷＬＡＮ  ＡＰ５０６のＲＡＴ（たとえば、８０２．１１  Ｗｉ−Ｆｉ）を使用する第２のアクセスポイントとしてＷＬＡＮ  ＡＰ５０６と通信するための通信構成要素５４０とともに動作するか、またはさもなければそれを実装し得る。一例では、ｅノードＢ５０５は、説明したように、ＵＥ５１５が、ｅノードＢ５０５に関係するネットワークにアクセスするために、それぞれの第１の通信リンク５２５と第２の通信リンク５２６とを介してｅノードＢ５０５とＷＬＡＮ  ＡＰ５０６の両方と通信するように、ＵＥ５１５のためのトラフィックアグリゲーションを構成することができる。この点について、説明したように、ＷＬＡＮ  ＡＰ５０６は、第２の通信リンク５２６を介してＵＥ５１５のためのトラフィックアグリゲーションを与えるために、バックホールリンク５３２を介してｅノードＢ５０５とＵＥ５１５トラフィックを通信することができる。
【００６２】
[0071]たとえば、通信構成要素５４０に関係する様々な動作は、１つまたは複数のプロセッサ５０３によって実装されるか、またはさもなければ実行され得、一態様では、単一のプロセッサによって実行され得、他の態様では、動作のうちの異なるものは２つまたはそれ以上の異なるプロセッサの組合せによって実行され得る。たとえば、一態様では、１つまたは複数のプロセッサ５０３は、モデムプロセッサ、またはベースバンドプロセッサ、またはデジタル信号プロセッサ、または特定用途向け集積回路（ＡＳＩＣ）、または送信プロセッサ、受信プロセッサ、またはトランシーバ５０９に関連するトランシーバプロセッサのうちのいずれか１つまたは任意の組合せを含み得る。さらに、たとえば、メモリ５０４は、限定はしないが、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、磁気ストレージデバイス（たとえば、ハードディスク、フロッピー（登録商標）ディスク、磁気ストリップ）、光ディスク（たとえば、コンパクトディスク（ＣＤ）、デジタル多用途ディスク（ＤＶＤ））、スマートカード、フラッシュメモリデバイス（たとえば、カード、スティック、キードライブ）、レジスタ、リムーバブルディスク、ならびにコンピュータあるいは１つまたは複数のプロセッサ５０３によってアクセスされ、読み取られ得るソフトウェアおよび／またはコンピュータ可読コードまたは命令を記憶するための他の好適な媒体を含む非一時的コンピュータ可読媒体であり得る。その上、メモリ５０４またはコンピュータ可読記憶媒体は、１つまたは複数のプロセッサ５０３中に存在する、１つまたは複数のプロセッサ５０３の外部にある、１つまたは複数のプロセッサ５０３を含む複数のエンティティにわたって分散される、などであり得る。
【００６３】
[0072]特に、１つまたは複数のプロセッサ５０３および／またはメモリ５０４は、通信構成要素５４０またはそれの副構成要素によって定義されたアクションまたは動作を実行し得る。たとえば、１つまたは複数のプロセッサ５０３および／またはメモリ５０４は、ｅノードＢ５０５への第１の接続に関係する電力消費モードのインジケータを受信するためのインジケータ受信構成要素５５０によって定義されたアクションまたは動作を実行し得る。一態様では、たとえば、インジケータ受信構成要素５５０は、ハードウェア（たとえば、１つまたは複数のプロセッサ５０３の１つまたは複数のプロセッサモジュール）、および／あるいはメモリ５０４に記憶され、本明細書で説明する特別に構成されたインジケータ受信動作を実行するために１つまたは複数のプロセッサ５０３のうちの少なくとも１つによって実行可能なコンピュータ可読コードまたは命令を含み得る。たとえば、１つまたは複数のプロセッサ５０３および／またはメモリ５０４は、ＷＬＡＮ  ＡＰ５０６への第２の接続を介した電力動作モードを管理するための電力動作モード管理構成要素５５２によって定義されたアクションまたは動作を実行し得る。一態様では、たとえば、電力動作モード管理構成要素５５２は、ハードウェア（たとえば、１つまたは複数のプロセッサ５０３の１つまたは複数のプロセッサモジュール）、および／あるいはメモリ５０４に記憶され、本明細書で説明する特別に構成された電力動作モード管理動作を実行するために１つまたは複数のプロセッサ５０３のうちの少なくとも１つによって実行可能なコンピュータ可読コードまたは命令を含み得る。上記で説明したように、一例では、電力消費モードは、ＵＥ５１５が関係する接続を介してワイヤレス通信を送信および／または受信するための電力を消費するモードに関連し得る。
【００６４】
[0073]たとえば、１つまたは複数のプロセッサ５０３および／またはメモリ５０４は、第１の接続と第２の接続とを介して受信されたパケットを並べ替えるためのパケット並べ替え構成要素５５４によって定義されたアクションまたは動作を随意に実行し得、ここで、パケット並べ替え構成要素５５４は、受信されなかった並べ替え窓内のパケットがドロップされ得るパケット並べ替えタイマー５５６を含み得る。一態様では、たとえば、パケット並べ替え構成要素５５４は、ハードウェア（たとえば、１つまたは複数のプロセッサ５０３の１つまたは複数のプロセッサモジュール）、および／あるいはメモリ５０４に記憶され、本明細書で説明する特別に構成されたパケット並べ替え動作を実行するために１つまたは複数のプロセッサ５０３のうちの少なくとも１つによって実行可能なコンピュータ可読コードまたは命令を含み得る。たとえば、パケット並べ替えタイマー５５６は、（たとえば、ＵＥ５１５のメモリ５０４、ｅノードＢ５０５などの１つまたは複数のｅノードＢから受信されたネットワーク構成、または他のネットワークエンティティなどから構成される）構成値に基づいて初期化され得る。さらに、パケットが順が狂って受信されることが検出されるとパケット並べ替えタイマー５５６がトーリングされ得、パケット並べ替えタイマー５５６の満了に基づいて、パケット並べ替え構成要素５５４は、パケット並べ替えが不成功であることを示し得る（および／または順が狂ったパケットをドロップし得る）。
【００６５】
[0074]たとえば、１つまたは複数のプロセッサ５０３および／またはメモリ５０４は、ｅノードＢ５０５との第１の接続がある電力動作モードに入り得るＤＲＸ非アクティビティタイマー５５８、および／またはそれの満了の後に、ｅノードＢ５０５が第１の接続を介したＵＥ５１５へのダウンリンク送信を開始することを可能にするためにＵＥ５１５がその電力動作モードを出ることができるオン継続時間タイマー５６０によって定義されたアクションまたは動作を随意に実行し得る。一態様では、たとえば、ＤＲＸ非アクティビティタイマー５５８および／またはオン継続時間タイマー５６０は、本明細書でさらに説明するように、ハードウェア（たとえば、１つまたは複数のプロセッサ５０３の１つまたは複数のプロセッサモジュール）、ならびに／あるいは初期化、トーリングなどを行うために、メモリ５０４に記憶され、１つまたは複数のプロセッサ５０３のうちの少なくとも１つによって実行可能なコンピュータ可読コードまたは命令によって実施されるか、またはさもなければそれによって管理され得る。
【００６６】
[0075]同様に、一態様では、ｅＮＢ５０５は、たとえば、１つまたは複数のバス５５７を介して通信可能に結合され得る１つまたは複数のプロセッサ５５３および／またはメモリ５５５を含み得、第１の通信リンク５２５を介してＵＥ５１５と通信することと、第２の通信リンク５２６を介してＷＬＡＮ  ＡＰ５０６を介してＲＡＮアグリゲーションを使用してＵＥ５１５と通信することとのためのスケジューリング構成要素５２０とともに動作するか、またはさもなければそれを実装し得る。一例では、スケジューリング構成要素５２０は、たとえば、ＵＥ５１５に通信するためのトラフィックアグリゲーション中でＷＬＡＮ  ＡＰ５０６にデータ（たとえば、上記で説明した通り、アプリケーションレイヤ、ＴＣＰレイヤ、ＵＤＰレイヤ、ＩＰレイヤ、ＰＤＣＰレイヤ、ＲＬＣレイヤまたはＭＡＣレイヤでパケットまたは他のデータユニット）を与えること、ＵＥ５１５によってそれに通信されたＷＬＡＮ  ＡＰ５０６からのデータを受信することなどを行うために、バックホールリンク５３２を介してＷＬＡＮ  ＡＰ５０６と通信することができる。たとえば、スケジューリング構成要素５２０に関係する様々な機能は、１つまたは複数のプロセッサ５５３によって実装されるか、またはさもなければ実行され得、一態様では、単一のプロセッサによって実行され得、他の態様では、上記で説明したように、機能のうちの異なるものは２つまたはそれ以上の異なるプロセッサの組合せによって実行され得る。一例では、１つまたは複数のプロセッサ５５３および／またはメモリ５５５は、ＵＥ５１５の１つまたは複数のプロセッサ５０３および／またはメモリ５０４に関して上記の例に記載されているように構成され得ることを諒解されたい。
【００６７】
[0076]一例では、１つまたは複数のプロセッサ５５３および／またはメモリ５５５は、スケジューリング構成要素５２０またはそれの副構成要素によって定義されたアクションまたは動作を実行し得る。たとえば、１つまたは複数のプロセッサ５５３および／またはメモリ５５５は、ＷＬＡＮ  ＡＰ５０６とＵＥ５１５との間の接続（たとえば、通信リンク５２６を介した接続）がある電力動作モードにあるのかどうかを決定するための電力動作モード決定構成要素５２２によって定義されたアクションまたは動作を実行し得る。一態様では、たとえば、電力動作モード決定構成要素５２２は、ハードウェア（たとえば、１つまたは複数のプロセッサ５５３の１つまたは複数のプロセッサモジュール）、および／あるいはメモリ５５５に記憶され、本明細書で説明する特別に構成された電力動作モード決定動作を実行するために１つまたは複数のプロセッサ５５３のうちの少なくとも１つによって実行可能なコンピュータ可読コードまたは命令を含み得る。たとえば、１つまたは複数のプロセッサ５５３および／またはメモリ５５５は、ＷＬＡＮ  ＡＰ５０６とＵＥ５１５との間の接続がその電力動作モードにあるのかどうかに少なくとも部分的に基づいてＷＬＡＮ  ＡＰ５０６とＵＥ５１５との間および／またはｅノードＢ５０５とＵＥ５１５との間の接続を介してデータをスケジュールするためのデータスケジューリング構成要素５２４によって定義されたアクションまたは動作を実行し得る。一態様では、たとえば、データスケジューリング構成要素５２４は、ハードウェア（たとえば、１つまたは複数のプロセッサ５５３の１つまたは複数のプロセッサモジュール）、および／あるいはメモリ５５５に記憶され、本明細書で説明する特別に構成されたデータスケジューリング動作を実行するために１つまたは複数のプロセッサ５５３のうちの少なくとも１つによって実行可能なコンピュータ可読コードまたは命令を含み得る。
【００６８】
[0077]たとえば、１つまたは複数のプロセッサ５５３および／またはメモリ５５５は、ＵＥ５１５と通信するためのバッファに関係するバッファサイズを決定するためのバッファサイズ決定構成要素５２７によって定義されたアクションまたは動作を随意に実行し得る。一態様では、たとえば、バッファサイズ決定構成要素５２７は、ハードウェア（たとえば、１つまたは複数のプロセッサ５５３の１つまたは複数のプロセッサモジュール）、および／あるいはメモリ５５５に記憶され、本明細書で説明する特別に構成されたバッファサイズ決定動作を実行するために１つまたは複数のプロセッサ５５３のうちの少なくとも１つによって実行可能なコンピュータ可読コードまたは命令を含み得る。たとえば、１つまたは複数のプロセッサ５５３および／またはメモリ５５５は、ＵＥ５１５にその電力動作モードを出るためのインジケータを送信するためのインジケータ送信構成要素５２８によって定義されたアクションまたは動作を随意に実行し得る。一態様では、たとえば、インジケータ送信構成要素５２８は、ハードウェア（たとえば、１つまたは複数のプロセッサ５５３の１つまたは複数のプロセッサモジュール）、および／あるいはメモリ５５５に記憶され、本明細書で説明する特別に構成されたインジケータ送信動作を実行するために１つまたは複数のプロセッサ５５３のうちの少なくとも１つによって実行可能なコンピュータ可読コードまたは命令を含み得る。たとえば、１つまたは複数のプロセッサ５５３および／またはメモリ５５５は、ＷＬＡＮ  ＡＰ５０６からその電力動作モードの情報を受信するためのモード情報受信構成要素５３０よって定義されたアクションまたは動作を随意に実行し得る。一態様では、たとえば、モード情報受信構成要素５３０は、ハードウェア（たとえば、１つまたは複数のプロセッサ５５３の１つまたは複数のプロセッサモジュール）、および／あるいはメモリ５５５に記憶され、本明細書で説明する特別に構成されたモード情報受信動作を実行するために１つまたは複数のプロセッサ５５３のうちの少なくとも１つによって実行可能なコンピュータ可読コードまたは命令を含み得る。
【００６９】
[0078]トランシーバ５０９、５５９は、１つまたは複数のアンテナ、ＲＦフロントエンド、１つまたは複数の送信機、および１つまたは複数の受信機を通してワイヤレス信号を送信および受信するように構成され得ることを諒解されたい。一態様では、トランシーバ５０９、５５９は、ＵＥ５１５および／またはｅＮＢ５０５がある周波数において通信することができるように、指定された周波数において動作するように同調させられ得る。一態様では、関係するアップリンク通信チャネルまたはダウンリンク通信チャネル上で、それぞれ、アップリンク信号および／またはダウンリンク信号を通信するために、構成、通信プロトコルなどに基づいて指定された周波数および電力レベルにおいて動作するように、１つまたは複数のプロセッサ５０３がトランシーバ５０９を構成し得、および／あるいは１つまたは複数のプロセッサ５５３がトランシーバ５５９を構成し得る。
【００７０】
[0079]一態様では、トランシーバ５０９、５５９は、トランシーバ５０９、５５９を使用して送受信されるデジタルデータを処理するように、（たとえば、マルチバンドマルチモードモデム（図示せず）を使用して）複数の帯域サッチで動作し得る。一態様では、トランシーバ５０９、５５９は、マルチバンドであり、特定の通信プロトコルのための複数の周波数帯域をサポートするように構成され得る。一態様では、トランシーバ５０９、５５９は、複数の動作ネットワークおよび通信プロトコルをサポートするように構成され得る。したがって、たとえば、トランシーバ５０９、５５９は、指定されたモデム構成に基づいて信号の送信および／または受信を可能にし得る。
【００７１】
[0080]図６に、１つまたは複数のトラフィックアグリゲート接続のための電力動作モードを（たとえば、ＵＥによって）決定するための方法６００を示す。説明したように、ｅノードＢ５０５が、ｅノードＢ５０５およびＷＬＡＮ  ＡＰ５０６への接続を管理することができるので、トラフィックアグリゲーションを与えることは、ｅノードＢ５０５に関係するネットワークとのＵＥ５１５の接続性を改善することができる。したがって、方法６００は、ブロック６１０において、第１のサービングノードとの第１の接続を確立することを含む。一態様では、通信構成要素５４０は、たとえば、１つまたは複数のプロセッサ５０３、メモリ５０４、および／またはトランシーバ５０９と併せて、第１のサービングノード（たとえば、ｅノードＢ５０５）との第１の接続（たとえば、通信リンク５２５）を確立することができる。たとえば、通信構成要素５４０は、第１のＲＡＴ（たとえば、ＬＴＥまたは他のＵＭＴＳまたはセルラー技術など）を使用して第１の接続を確立することができる。一例では、通信構成要素５４０は、ｅノードＢ５０５とのランダムアクセス手順を実行することができるか、またはさもなければそれとの接続の確立を要求することができる。
【００７２】
[0081]方法６００はまた、ブロック６１２において、第２のサービングノードとの第２の接続を確立することを含み、ここで、第２の接続は、第１の接続とのトラフィックアグリゲーションのために構成される。たとえば、通信構成要素５４０は、たとえば、１つまたは複数のプロセッサ５０３、メモリ５０４、および／またはトランシーバ５０９と併せて、第２のサービングノード（たとえば、ＷＬＡＮ  ＡＰ５０６、別のｅノードＢまたはセルなど）との第２の接続（たとえば、通信リンク５２６）を確立することができ、ここで、第２の接続は、第１の接続とのトラフィックアグリゲーションのために構成される。一例では、通信構成要素５４０は、第１のＲＡＴを使用してまたは第２のＲＡＴ（たとえば、Ｗｉ−Ｆｉ）を使用して第２の接続を確立することができる。通信構成要素５４０は、たとえば、ＷＬＡＮ  ＡＰ５０６との接続を要求し、それとの任意の課金／認証手順を実行することなどに基づいて第２の接続を確立することができる。一例では、ｅノードＢ５０５は、説明したように、ＷＬＡＮ  ＡＰ５０６を介したトラフィックアグリゲーションを与えるためにＵＥ５１５とＷＬＡＮ  ＡＰ５０６との間の接続を容易にすることができる。たとえば、ｅノードＢ５０５は、ＵＥ５１５に、ＷＬＡＮ  ＡＰ５０６との第２の接続を確立するように命令すること、第２の接続確立するための命令を与えることなどを行い得る。いずれの場合も、ＵＥ５１５は、第２の接続を介してＷＬＡＮ  ＡＰ５０６と通信することができ、ＷＬＡＮ  ＡＰ５０６は、説明したように、ｅノードＢ５０５にデータＵＥ５１５を通信し得、ここで、第１の接続と第２の接続とは、トラフィックアグリゲーションを与えるように構成される。
【００７３】
[0082]さらに、説明したように、通信構成要素５４０は、トラフィックアグリゲーション中で、通信リンク５２５を介してｅノードＢ５０５から、通信リンク５２６を介してＷＬＡＮ  ＡＰ５０６からデータを受信することができ、パケット並べ替え構成要素５５４は、複数のリンクを介してパケットを同時に受信することにより順が狂って受信され得るパケットを並べ替えることができる。たとえば、データは、ＰＤＣＰレイヤにおいてリンクを介して分割され得、したがって、パケット並べ替え構成要素５５４は、それに関連するＰＤＣＰシーケンス番号に少なくとも部分的に基づいてパケットを並べ替えることができる。
【００７４】
[0083]方法６００はまた、ブロック６１４において、第１の接続のための電力消費モードの指示を受信することを含み得る。たとえば、指示受信構成要素５５０は、たとえば、１つまたは複数のプロセッサ５０３、メモリ５０４、および／またはトランシーバ５０９と併せて、第１の接続のための電力消費モードの指示を受信することができる。上記で説明し、本明細書でさらに説明するように、電力消費モードの指示は、データを受信するための電力の消費量がＵＥ５１５において推論され得る実質的に任意の指示に関係することができる。指示は、たとえば、データが第１の接続を介して受信されていることまたは受信されるべきであること、および／あるいは第２の接続がＵＥ５１５へのデータの送信をアグリゲートするために使用され得ることを示すことができる。
【００７５】
[0084]いずれの場合も、方法６００はまた、ブロック６１６において、指示に少なくとも部分的に基づいて第２の接続の電力動作モードを決定することを含む。たとえば、電力動作モード管理構成要素５５２は、たとえば、１つまたは複数のプロセッサ５０３、メモリ５０４、および／またはトランシーバ５０９と併せて、指示に少なくとも部分的に基づいて第２の接続の電力動作モードを決定することができる。たとえば、電力動作モードを決定する際に、電力動作モード管理構成要素５５２は、ある電力動作モードを出ること（たとえば、アイドルモード、省電力モードまたはＵＥ５１５における電力消費量を節約することに関係する他のモードに入ること）を決定することができ、ここで、指示は、第１の接続および／または場合によっては第２の接続を介して通信を受信することに関係する。この点について、たとえば、第２の接続を介した電力動作モードは、ＲＡＮアグリゲーションのために望まれるとき、第２の接続を介して通信を受信するためにサッチ終了され得る。
【００７６】
[0085]したがって、一例では、ブロック６１４において電力消費モードの指示を受信することは、ブロック６１８において、第１および／または第２の接続を介して受信されたパケットを並べ替えることに関係する並べ替えステータスを決定することを随意に含み得る。一態様では、インジケータ受信構成要素５５０は、たとえば、１つまたは複数のプロセッサ５０３、メモリ５０４、および／またはトランシーバ５０９と併せて、第１および／または第２の接続を介して受信されたパケットを並べ替えることに関係する並べ替えステータスを決定することができる。たとえば、パケット並べ替え構成要素５５４は、並べ替えステータスを生成することができ、これは、（たとえば、パケット並べ替えタイマー５５６の満了の前に）複数のパケットが正常に並べ替えられているかどうか、パケット並べ替えタイマー５５６の値、パケット並べ替えタイマー５５６が満了したのかどうかの指示などを示すことができる。この場合、たとえば、電力動作モード管理構成要素５５２は、（たとえば、ＷＬＡＮリンクについて）その電力動作モードを出ることを決定することができ、ここで、インジケータ受信構成要素５５０は、並べ替えが不成功であると見なされる前に（たとえば、パケット並べ替えタイマー５５６が満了する前に）ＷＬＡＮ  ＡＰ５０６において第２の接続について保留中の通信を受信しようとする試みにおいて、並べ替えステータスが不成功であることを決定すること、パケット並べ替えタイマー５５６が、しきい値（たとえば、満了値、満了値からの差など）に達したかまたは満了したと決定すること、あるいは並べ替えられるのを待つメモリ中のトラフィックの量に基づいて決定することなどのうちの少なくとも１つを行う。
【００７７】
[0086]一例では、電力動作モード管理構成要素５５２は、通信リンク５２６を介して通信する通信構成要素５４０のインターフェースが第２の接続のための電力動作モードに入るときをパケット並べ替え構成要素５５４に通知することができる。一例では、パケット並べ替え構成要素５５４は、ｅノードＢ５０５およびＷＬＡＮ  ＡＰ５０６から受信されたパケットを並べ替えるためにＰＤＣＰまたはＭＡＣレイヤにおいて動作する。パケット並べ替えタイマー５５６がトーリングしており、第２の接続がその電力動作モードにある（たとえば、通信構成要素５４０の関連するインターフェースがその電力動作モードにある）とパケット並べ替え構成要素５５４が決定する場合、パケット並べ替え構成要素５５４は、通信構成要素５４０に、第２の接続を介してその電力動作モードを出ること（たとえば、通信を受信するためにアクティブモードに遷移すること）、（たとえば、ＰＳ−Ｐｏｌｌ機構を介して）バッファデータについてＷＬＡＮ  ＡＰ５０６をポーリングすることなどを行うように命令することができる。これは、たとえば、パケット並べ替えタイマー５５６がある値に達すること、パケット並べ替えタイマー５５６の満了、パケット並べ替えタイマー５５６がトーリングし始めることなどのうちの少なくとも１つをパケット並べ替え構成要素５５４が決定することに基づいて行われ得る。いずれの場合も、その電力動作モードを出ること、バッファデータに対するポーリングなどにより、ＵＥ５１５は、パケット並べ替えタイマー５５６の満了（および場合によっては、順が狂ったパケットのドロップ）の前にＷＬＡＮ  ＡＰ５０６からバッファＰＤＣＰパケットを受信することが可能になり得、したがって、データ損失を回避し、さらに、並べ替えられたストリームを早期に配信することができ、これは、メモリ消費を最小化し、ユーザエクスペリエンスを改善する。ＰＳ−Ｐｏｌｌを使用する替わりに、デバイスは、省電力モードを出るためにＷＬＡＮアップリンク上でデータトラフィックを一時的にスケジュールし得る。その電力動作モードを出たことを示す省電力制御がユーザデータ上にピギーバックされ得るので、これはＰＳポールを使用するよりも効率的であり得る。
【００７８】
[0087]これの特定の例を図７に示し、これに、ＵＥ７０２とＷＬＡＮ  ＡＰ７０６とｅノードＢ７０４との間でパケットを通信するための例示的なシステム７００を示す。システム７００では、ＵＥ  ＷＬＡＮ  ＳＴＡインターフェースは、７１０において、ＷＬＡＮ  ＡＰ７０６と省電力モードに入る。ＷＬＡＮ  ＡＰ  ７０６は、（たとえば、７０ｍｓのビーコン間隔および／または２８０ｍｓのＤＴＩＭ間隔で）ビーコンＴＩＭを周期的に送信する。たとえば、ＷＬＡＮ  ＡＰは、０（トラフィック無し）を示すビーコンＴＩＭ７１２を送信する。７１４において、ｅノードＢ７０４は、ＷＬＡＮ  ＡＰ７０６によって送信するためのシーケンス番号７、１１、および１２と、ｅノードＢ７０４によって送信するための１２、１４、および１５とを含む、様々なＰＤＣＰパケットをスケジュールする。ＷＬＡＮ  ＡＰ７０６がＵＥ７０２とともに省電力モードにあるので、省電力モードが終了されるまで、パケット７、１１、および１２は、７１６において、バッファされる。一方、ｅノードＢ７０４は、７１８において、ＵＥ７０２にパケット１３、１４、および１５を送信する。ＵＥ７０２は、７２２において、ｅノードＢ７０４から順が狂ったパケットを受信することに基づいて（たとえば、および／または少なくともしきい値時間が並べ替えタイマーに残っていると検出することに基づいて）並べ替えタイマー満了の前にある時間が残っている状態で、アクティブモードに遷移すること（たとえば、省電力モードを終了すること）ができる。したがって、７２４において、バッファパケット７、１１、および１２が受信され、並べ替え穴がデータ損失なしでフィルされる。
【００７９】
[0088]さらに、たとえば、ブロック６１４において電力消費モードの指示を受信することは、ブロック６２０において、第１および／または第２の接続を介して受信されたパケットが正常に並べ替えられているかどうかを決定することを随意に含み得る。一態様では、インジケータ受信構成要素５５０は、たとえば、１つまたは複数のプロセッサ５０３、メモリ５０４、および／またはトランシーバ５０９と併せて、第１および／または第２の接続を介して受信されたパケットが正常に受信されているかどうか（たとえば、シーケンス番号中のギャップがフィルされたのかどうか）を決定することができる。たとえば、インジケータ受信構成要素５５０は、パケット並べ替え構成要素５５４が、通信リンク５２５および５２６を介して受信されたパケットを並べ替えようと試み、（たとえば、パケット並べ替えタイマー５５６の満了に基づいて）パケットが正常に並べ替えられているおよび／または正常に並べ替えられることができないときにインジケータ受信構成要素５５０に通知することに少なくとも部分的に基づいてこの決定を行うことができる。さらに、一例では、パケット並べ替え構成要素５５４がパケット並べ替えの成功をインジケータ受信構成要素５５０に通知する場合、インジケータ受信構成要素５５０は、電力動作モード管理構成要素５５２に、通信構成要素５４０が第２の接続を介してその電力動作モードに入り得ること（たとえば、第２の接続に関係するインターフェースがある電力動作モードに入り得ること）を命令することができ、これは、電力動作モード管理構成要素５５２における他の考慮事項の対象となり得る。
【００８０】
[0089]さらに、たとえば、ＬＴＥは、ＵＥ５１５においてある電力動作モード（たとえば、電力節約モード）を有効化するためにＤＲＸを利用することができ、ここで、ｅノードＢ５０５とＵＥ５１５とは、ＤＲＸに対して同じ状態機械を維持し、これにより、ｅノードＢ５０５がＵＥ５１５に時々送信することが可能になり、ＵＥ５１５が他の時間にスリープすること（たとえば、無線リソースを中断すること）が可能になる。したがって、一例では、電力動作モード管理構成要素５５２は、第１の接続のための電力動作モード（たとえば、ＤＲＸ）に少なくとも部分的に基づいて第２の接続のための電力動作モードを管理することができる。ＤＲＸは様々なタイマーを定義し、それらのうちの１つがトーリングしていると、ＵＥ５１５は、スリープすること（たとえば、第１の接続のための無線リソースを中断すること）ができない。これらのタイマーは、ＵＥ５１５がダウンリンク送信を受信するようにｅノードＢ５０５によって（たとえば、スケジューリング構成要素５２０によって）スケジュールされたときに開始するＤＲＸ非アクティビティタイマー５５８と、ＤＲＸサイクルごとに周期的に動作するオン継続時間タイマー５６０とを含む。
【００８１】
[0090]したがって、この例では、ブロック６１４において電力消費モードの指示を受信することは、ブロック６２２において、第１のＲＡＴについての別の電力動作モードに入ることに関係する第１のＲＡＴのＤＲＸ非アクティビティタイマーがトーリングしているのかどうかを決定することを随意に含み得る。一態様では、インジケータ受信構成要素５５０は、たとえば、１つまたは複数のプロセッサ５０３、メモリ５０４、および／またはトランシーバ５０９と併せて、（たとえば、通信リンク５２５を介して）第１のＲＡＴについての別の電力動作モードに入ることに関係する第１のＲＡＴのＤＲＸ非アクティビティタイマー５５８がトーリングしているのかどうかを決定することができる。たとえば、トーリングは、タイマーをある値に初期化し、下限として０（たとえば、ここで、タイマーがカウントダウンし、したがって、トーリングは時間にわたってタイマー値を減少させる）または上限としてタイマー値（たとえば、ここで、タイマーがカウントアップし、したがって、トーリングは時間にわたってタイマー値を増加させる）に達するまで対応するプロセッサのクロックに基づいてタイマーを増分／減分されることを指すことができる。ダウンリンク送信がｅノードＢ５０５から受信されると、通信構成要素５４０は、ＤＲＸ非アクティビティタイマー５５８を開始／再開することができる。したがって、インジケータ受信構成要素５５０は、ＤＲＸ非アクティビティタイマーがトーリングしていると決定する場合、第２の接続を介した電力動作モードを出るように電力動作モード管理構成要素５５２に命令することができる。電力動作モード管理構成要素５５２は、通信構成要素５４０に、（たとえば、第２の接続に関係するインターフェースを介して）その電力動作モードを出ること、第２の接続を介してＷＬＡＮ  ＡＰ５０６へのＰＳ−Ｐｏｌｌを実行することなどを行わせることができる。これにより、ｅノードＢ５０５からのダウンリンク送信の受信としてパケットの並べ替えの不成功を回避することができ、これは、ＤＲＸ非アクティビティタイマー５５８のトーリングを生じ、第２の接続を介した電力動作モードを出ることに結果する。さらに、たとえば、インジケータ受信構成要素５５０は、最初に、電力動作モード管理構成要素５５２にその電力動作モードを出るように命令する前にトーリングを開始するために（アップリンク送信を送信することとは対照的に）ダウンリンク送信を受信することがＤＲＸ非アクティビティタイマー５５８を生じたと決定し得る。
【００８２】
[0091]別の例では、ブロック６１４において電力消費モードの指示を受信することは、ブロック６２４において、第１のＲＡＴについての別の電力動作モードを出ることに関係する第１のＲＡＴのオン継続時間タイマーが満了したのかどうかを決定することを随意に含み得る。一態様では、インジケータ受信構成要素５５０は、たとえば、１つまたは複数のプロセッサ５０３、メモリ５０４、および／またはトランシーバ５０９と併せて、（たとえば、通信リンク５２５を介して）第１のＲＡＴについての別の電力動作モードを出ることに関係する第１のＲＡＴのオン継続時間タイマー５６０が満了したのかどうかを決定することができる。たとえば、オン継続時間タイマー５６０は、ｅノードＢ５０５に、ＤＲＸサイクルごとに周期的にＵＥ５１５へのダウンリンク送信を開始することを可能にするために、ＵＥ５１５に、第１の接続を介した電力動作モードを出ることを行わせることができる。したがって、このタイマー５６０が満了すると、電力動作モード管理構成要素５５２は、（たとえば、通信構成要素５４０に、関係するインターフェース上の電力動作モードを出るように命令することによって）第１の接続のための電力動作モードを出る。したがって、インジケータ受信構成要素５５０は、オン継続時間タイマー５６０の満了を決定する場合、電力動作モード管理構成要素５５２に、（たとえば、第２の接続に関係するインターフェースを介して）第２の接続のための電力動作モードを出ること、第２の接続を介してＷＬＡＮ  ＡＰ５０６へのＰＳ−Ｐｏｌｌを実行することなどを命令することができる。説明したように、これにより、オン継続時間タイマー５６０の満了に基づいて第１の接続が活動化されるとき第２の接続が活動化されるので、パケットの並べ替えの不成功を回避することができる。図示していないが、第２の接続を介して送信するためのＷＬＡＮ  ＡＰ５０６への通信をいつ送信すべきかを決定するために（たとえば、ＵＥ５１５と同様のＤＲＸ状態機械を与える際に）同様のＤＲＸ非アクティビティタイマーとオン継続時間タイマーとをｅノードＢ５０５が管理することができることを諒解されたい。
【００８３】
[0092]さらなる一例では、ブロック６１４において電力消費モードの指示を受信することは、ブロック６２６において、１つまたは複数のパケットが第１の接続を介して受信されるのかどうかを決定することを随意に含み得る。一態様では、インジケータ受信構成要素５５０は、たとえば、１つまたは複数のプロセッサ５０３、メモリ５０４、および／またはトランシーバ５０９と併せて、１つまたは複数のパケットが第１の接続を介して受信されるのかどうかを決定することができ、これは、通信構成要素５４０からのそのような情報を決定することを含むことができる。１つまたは複数のパケットが第１の接続を介して通信構成要素５４０によって受信されるとインジケータ受信構成要素５５０が決定すると、たとえば、インジケータ受信構成要素５５０は、電力動作モード管理構成要素５５２に、（たとえば、第２の接続に関係するインターフェースを介して）第２の接続のための電力動作モードを出ること、第２の接続を介してＷＬＡＮ  ＡＰ５０６へのＰＳ−Ｐｏｌｌを実行することなどを命令することができる。これにより、パケットが第１の接続を介して受信されるときに第２の接続が活動化されるのでパケットの並べ替えの不成功を回避することができ、したがって、パケットは、おそらくパケット並べ替えタイマー５５６の満了の前にも第２の接続を介して受信され得る。
【００８４】
[0093]さらに、別の例では、ブロック６１４において電力消費モードの指示を受信することは、ブロック６２８において、第１および／または第２の接続を介して制御パケット中で指示を受信することを随意に含み得る。一態様では、インジケータ受信構成要素５５０は、たとえば、１つまたは複数のプロセッサ５０３、メモリ５０４、および／またはトランシーバ５０９と併せて、第１および／または第２の接続を介して制御パケット（たとえば、ＰＤＣＰ制御ＰＤＵ）中で指示を受信することができる。以下でさらに詳細に説明するように、ｅノードＢ５０５（および／またはＷＬＡＮ  ＡＰ５０６）は、ＵＥ５１５に制御パケット中で指示を送信し得る。たとえば、ｅノードＢ５０５（および／またはＷＬＡＮ  ＡＰ５０６）は、ＵＥ５１５を送信するためのデータバーストを取得することに基づいて（および／またはバーストを送信するとともに）制御パケットを送信し得る。一例では、バーストの開始は、制御パケットを含み得る。いずれの場合も、インジケータ受信構成要素５５０が制御パケットを受信すると、インジケータ受信構成要素５５０は、電力動作モード管理構成要素５５２に、（たとえば、第２の接続に関係するインターフェースを介して）第２の接続のための電力動作モードを出ること、第２の接続を介してＷＬＡＮ  ＡＰ５０６へのＰＳ−Ｐｏｌｌを実行することなどを命令することができる。たとえば、制御パケットは、電力動作モードを出る時間、電力動作モードに入る／出ることの周期的パターンなどを指定し得、したがって、インジケータ受信構成要素５５０は、指示に基づいて電力動作モード管理構成要素５５２に命令することができる。いずれの場合も、ｅノードＢ５０５（および／またはＷＬＡＮ  ＡＰ５０６）が、ＵＥ５１５に、それが第２の接続を介して送信すべきデータを有するときに第２の接続を介した電力動作モードを出ることを行なわせることができるので、これにより、パケットの並べ替えの不成功を回避することができる。さらに、たとえば、電力動作モード管理構成要素５５２は、少なくとも、第２の接続を介した電力動作モードに入ることをＵＥ５１５が許可されることを示す制御パケットが受信されるまで、第２の接続がその電力動作モードを避けるように管理し得る。
【００８５】
[0094]図８に、接続がある電力動作モードにあり得る、トラフィックアグリゲーション中の接続を介してデータをいつスケジュールすべきかを（たとえば、ｅＮＢによって）決定するための例示的な方法８００を示す。方法８００は、ブロック８１０において、第１のＲＡＴを使用して第１の接続を介してＵＥにサービスすることを含む。一態様では、スケジューリング構成要素５２０は、たとえば、１つまたは複数のプロセッサ５５３、メモリ５５５、および／またはトランシーバ５５９と併せて、第１のＲＡＴ（たとえば、ＬＴＥあるいは他のＵＭＴＳまたはセルラー技術）を使用して第１の接続（たとえば、通信リンク５２５）を介してＵＥ５１５にサービスすることができる。たとえば、説明したように、ＵＥ５１５は、ランダムアクセス手順を実行するか、またはさもなければｅノードＢ５０５と通信するためのリソースを要求し得、ｅノードＢ５０５は、それに応じて、通信リンク５２５を介してＵＥ５１５にリソースを許可し得る。さらに、説明したように、スケジューリング構成要素５２０は、バックホールリンク５３４を介してＷＬＡＮ  ＡＰ５０６との間でデータを通信することに少なくとも部分的に基づいてＵＥ５１５とＷＬＡＮ  ＡＰ５０６との間に確立される別の通信リンク５２６を介してＵＥ５１５へのトラフィックをアグリゲートし得る。
【００８６】
[0095]方法８００はまた、ブロック８１２において、ＵＥが第２のＲＡＴを使用したアクセスポイントとの第２の接続に関連する電力動作モードで構成されているのかどうかを決定することを含む。一態様では、電力動作モード決定構成要素５２２は、たとえば、１つまたは複数のプロセッサ５５３、メモリ５５５、および／またはトランシーバ５５９と併せて、ＵＥ（たとえば、ＵＥ５１５）が、第２のＲＡＴ（たとえば、Ｗｉ−Ｆｉ）を使用したアクセスポイント（たとえば、ＷＬＡＮ  ＡＰ５０６）との第２の接続（たとえば、通信リンク５２６）に関連する電力動作モードに構成されているのかどうかを決定することができる。たとえば、電力動作モード決定構成要素５２２は、ＷＬＡＮ  ＡＰ５０６および／またはＵＥ５１５からＵＥ５１５がその電力動作モードにあるのかどうかの指示を受信し得、これは、ＷＬＡＮ  ＡＰ５０６および／またはＵＥ５１５への要求あるいは（たとえば、ＵＥ５１５が第２の接続を介した電力動作モードを入ったときにＷＬＡＮ  ＡＰ５０６またはＵＥ５１５から受信される通知）などに基づき得る。
【００８７】
[0096]別の例では、ブロック８１２においてＵＥ５１５が第２の接続を介した電力動作モードで構成されているのかどうかを決定することは、ブロック８１４において、ＵＥに送信するために利用可能なデータバッファのサイズを決定することをナイ含む。一態様では、バッファサイズ決定構成要素５２７は、たとえば、１つまたは複数のプロセッサ５５３、メモリ５５５、および／またはトランシーバ５５９と併せて、ＵＥ５１５を送信するために利用可能なデータバッファのサイズを決定することができる。たとえば、バッファサイズ決定構成要素５２７は、（たとえば、バッファの利用可能な容量サイズがしきい値以下であるか、またはある時間期間にわたって低くなる傾向があるなどの場合）電力動作モードが推論され得るバッファの利用可能な容量サイズを決定することができる。たとえば、バッファは、概して、第２の接続に、またはＵＥ５１５のための通信に対応し得る。
【００８８】
[0097]方法８００はまた、ブロック８１６において、ＵＥが、第２の接続に関連する電力動作モードに構成されているという決定に少なくとも部分的に基づいて第１の時間間隔中に第２の接続についてのデータをスケジュールすることを含み得る。一態様では、データスケジューリング構成要素５２４は、たとえば、１つまたは複数のプロセッサ５５３、メモリ５５５、および／またはトランシーバ５５９と併せて、ＵＥ（たとえば、ＵＥ５１５）が第２の接続に関連する電力動作モードに構成されているという決定に少なくとも部分的に基づいて、第１の時間間隔中に第２の接続（たとえば、通信リンク５２６）のためのデータをスケジュールすることができる。たとえば、データスケジューリング構成要素５２４は、（たとえば、電力動作モード決定構成要素５２２による決定などに基づいて）ＵＥ５１５が第２の接続のための電力動作モードに入ったと仮定することができ、それに応じて、その時間間隔中に通信リンク５２６を介して送るためのデータをスケジュールすることができる（したがって、通信リンク５２５を介してデータは送られない）。データは、次いで、ＵＥ５１５がその電力動作モードを出るまでＷＬＡＮ  ＡＰ５０６によってバッファされ得る。具体的には、一例では、通信構成要素５４０は、その電力動作モードで信号を周期的に受信し得、（たとえば、上記の図７で説明したように）ＴＩＭについて検査し得る。この点について、ＴＩＭビットマップは、ＷＬＡＮ  ＡＰによる送信のために利用可能なデータを示すことができ、電力動作モード管理構成要素５５２は、それに応じて、バッファデータを受信するために第２の接続との電力動作モードを出ることができる。
【００８９】
[0098]方法８００はまた、ブロック８１８において、第２の時間間隔中に第１の接続と第２の接続との上でデータをスケジュールすることを含む。一態様では、データスケジューリング構成要素５２４は、たとえば、１つまたは複数のプロセッサ５５３、メモリ５５５、および／またはトランシーバ５５９と併せて、第２の時間間隔中に第１の接続と第２の接続との上でデータをスケジュールすることができる。ブロック８１８において第２の時間間隔中に第１の接続と第２の接続との上でデータをスケジュールすることは、ブロック８２０において、ＵＥが第２の接続を介した電力動作モードを出ると決定することを随意に含み得る。たとえば、電力動作モード決定構成要素５２２は、（たとえば、上記で説明したように、ＷＬＡＮ  ＡＰ５０６、ＵＥ５１５などから指示を受信すること、ＵＥ５１５のための利用可能なバッファ容量が増加したかまたは増加していると決定することなどに基づいて）ＵＥ５１５が第２の接続を介した電力動作モードを出たと決定し得る。この決定に基づいて、たとえば、データスケジューリング構成要素５２４は、第２の時間間隔が始まったと決定することができ、ここで、第２の接続は、ＵＥ５１５において電力動作モードにもはやなく、したがって、データを第２の接続を介して送ることができる。したがって、データスケジューリング構成要素５２４は、さらに、トラフィックアグリゲーションを実施するように第１の接続を介してデータをスケジュールする。
【００９０】
[0099]さらに、ｅノードＢ５０５は、ＵＥ５１５が第２の時間間隔中に第２の接続のための電力動作モードに再び入らないことを保証しようと試みることができる。したがって、方法８００は、ブロック８２２において、第２の時間間隔の継続時間の間第２の接続をその電力動作モードから離れたままにするために、第２のＲＡＴに関係する非アクティビティタイマー間隔中に第２の接続上で少なくとも１つのパケットをスケジュールすることを随意に含み得る。一態様では、データスケジューリング構成要素５２４は、たとえば、１つまたは複数のプロセッサ５５３、メモリ５５５、および／またはトランシーバ５５９と併せて、第２の接続をその電力動作モードから離れたままにするために、第２のＲＡＴに関係する非アクティビティタイマー間隔中に第２の接続（たとえば、ＷＬＡＮ  ＡＰ５０６へのバックホールリンク５３４通信を介した通信リンク５２６）上で少なくとも１つのパケットをスケジュールすることができる。たとえば、ｅノードＢ５０５は、ＵＥ５１５が第２のＲＡＴに基づいて第２の接続のための電力動作モードに入ることができる非アクティビティタイマー値を知ることができ、したがって、少なくとも１つのパケットは、ＵＥ５１５においてその電力動作モードに入ることを回避するためにこの非アクティビティ時間間隔の内側にスケジュールされる。一例では、ｅノードＢ５０５は、（たとえば、ＲＲＣシグナリングを介して）ＵＥ５１５の非アクティビティタイマー値を構成することができる。非アクティビティタイマー値は、具体的には、トラフィックアグリゲーション中の１つまたは複数の接続を介して決定された非アクティビティのために使用され得る。さらに、たとえば、データスケジューリング構成要素５２４は、ＵＥ５１５が（たとえば、非アクティビティタイマーの満了の後に）もう一度その電力動作モードに入ることを可能にするために、ある時間期間後におよび／またはイベント（たとえば、ＵＥ５１５に送信することに関係するバッファの利用可能な容量がしきい値を達成すること）に基づいて第２の接続上で少なくとも１つのパケットをスケジュールするのを中止し得る。
【００９１】
[00100]図９に、ＵＥに、トラフィックアグリゲーション中の接続を介した電力動作モードを出ることを行わせるために（たとえば、ｅＮＢまたはｅノードＢによって）ＵＥに制御パケットを送信するための例示的な方法９００を示す。方法９００は、ブロック９１０において、第１のＲＡＴを使用して第１の接続を介してＵＥにサービスすることを含む。一態様では、スケジューリング構成要素５２０は、たとえば、１つまたは複数のプロセッサ５５３、メモリ５５５、および／またはトランシーバ５５９と併せて、第１のＲＡＴ（たとえば、ＬＴＥあるいは他のＵＭＴＳまたはセルラー技術）を使用して第１の接続（たとえば、通信リンク５２５）を介してＵＥ５１５にサービスすることができる。たとえば、説明したように、ＵＥ５１５は、ランダムアクセス手順を実行するか、またはさもなければｅノードＢ５０５と通信するためのリソースを要求し得、ｅノードＢ５０５は、それに応じて、通信リンク５２５を介してＵＥ５１５にリソースを許可し得る。
【００９２】
[00101]方法９００はまた、ブロック９１２において、第２のＲＡＴを使用するアクセスポイントを通じた第２の接続を介してＵＥと通信することを含む。一態様では、スケジューリング構成要素５２０は、たとえば、１つまたは複数のプロセッサ５５３、メモリ５５５、および／またはトランシーバ５５９と併せて、第２のＲＡＴを使用するアクセスポイント（たとえば、ＷＬＡＮ  ＡＰ５０６）を通じて第２の接続（たとえば、通信リンク５２６）を介してＵＥ（たとえば、ＵＥ５１５）と通信することができる。説明したように、たとえば、スケジューリング構成要素５２０は、バックホールリンク５３４を介してＷＬＡＮ  ＡＰ５０６との間でデータを通信することに少なくとも部分的に基づいてＵＥ５１５とＷＬＡＮ  ＡＰ５０６との間に確立される別の通信リンク５２６を介してＵＥ５１５へのトラフィックをアグリゲートし得る。さらにまたは代替として、スケジューリング構成要素５２０は、データレートがしきい値を下回ると決定されると、低減された数の無線リンクを使用することを決定し得る。これは、複数の無線リンクにわたって省電力状態を同期させる問題を回避または低減する。たとえば、しきい値は、リンク、１つまたは複数のリンクを与える無線に対する負荷、または同様の無線品質メトリックのうちの１つまたは複数に対して達成可能なリンク容量に依存し得る。
【００９３】
[00102]方法９００はまた、ブロック９１４において、第２の接続を介した電力動作モードを出ることを示す制御パケットを第１の接続または第２の接続を介してＵＥに送信することを含む。一態様では、インジケータ送信構成要素５２８は、たとえば、１つまたは複数のプロセッサ５５３、メモリ５５５、および／またはトランシーバ５５９と併せて、第２の接続（たとえば、通信リンク５２６）を介した電力動作モードを出ることを示す制御パケットを第１の接続または第２の接続を介してＵＥ（たとえば、ＵＥ５１５）に送信することができる。制御パケットは、デバイスが省電力を出なければならない目標時間を含み得るか、またはそれは、デバイスがその省電力モードを避ける持続時間を含み得る。説明したように、一例では、インジケータ送信構成要素５２８は、ＵＥ５１５のためのデータバーストの始めに制御パケットを送信することができ、インジケータ受信構成要素５５０は、第２の接続のための電力動作モードを出ることを決定するための制御パケットを受信することができる。
【００９４】
[00103]方法９００はまた、ブロック９１６において、制御パケットを送信することに少なくとも部分的に基づいて第１の接続および第２の接続上での送信のためのデータをスケジュールすることを含む。一態様では、データスケジューリング構成要素５２４は、たとえば、１つまたは複数のプロセッサ５５３、メモリ５５５、および／またはトランシーバ５５９と併せて、制御パケットを送信することに少なくとも部分的に基づいて第１の接続および第２の接続上での送信のためのデータをスケジュールすることができる。したがって、制御パケットが、第２の接続のための電力動作モードを終了させることができるので、第２の接続を介してデータを受信することができ、これは、さもなければ第２の接続がある電力動作モードにあることによって生じた並べ替え誤りをおそらく回避することができる。
【００９５】
[00104]方法９００はまた、ブロック９１８において、第２の接続を介した電力動作モードが許可されることを示す別の制御パケットを第１の接続または第２の接続を介してＵＥに送信することを随意に含み得る。一態様では、インジケータ送信構成要素５２８は、たとえば、１つまたは複数のプロセッサ５５３、メモリ５５５、および／またはトランシーバ５５９と併せて、第２の接続（たとえば、通信リンク５２６）を介した電力動作モードが許可されることを示す別の制御パケットを第１の接続または第２の接続を介してＵＥ（たとえば、ＵＥ５１５）に送信することができる。したがって、インジケータ受信構成要素５５０は、この制御パケットを受信し得、電力動作モード管理構成要素５５２は、制御パケットおよび／または他の考慮事項（たとえば、第２の接続のための関係する非アクティビティタイマーの満了）に少なくとも部分的に基づいて第２の接続のための電力動作モードに入ることを通信構成要素５４０に行なわせ得る。
【００９６】
[00105]図１０に、（たとえば、ｅＮＢまたはｅノードＢによって）ＵＥがトラフィックアグリゲーション中の接続を介してある電力動作モードにあるのかどうかを決定するための例示的な方法１０００を示す。方法１０００は、ブロック１０１０において、第１のＲＡＴを使用して第１の接続を介してＵＥにサービスすることを含む。一態様では、スケジューリング構成要素５２０は、たとえば、１つまたは複数のプロセッサ５５３、メモリ５５５、および／またはトランシーバ５５９と併せて、第１のＲＡＴ（たとえば、ＬＴＥあるいは他のＵＭＴＳまたはセルラー技術）を使用して第１の接続（たとえば、通信リンク５２５）を介してＵＥ５１５にサービスすることができる。たとえば、説明したように、ＵＥ５１５は、ランダムアクセス手順を実行するか、またはさもなければｅノードＢ５０５と通信するためのリソースを要求し得、ｅノードＢ５０５は、それに応じて、通信リンク５２５を介してＵＥ５１５にリソースを許可し得る。
【００９７】
[00106]方法１０００は、ブロック１０１２において、第２のＲＡＴを使用するアクセスポイントを通じて第２の接続を介してＵＥと通信することをも含む。一態様では、スケジューリング構成要素５２０は、たとえば、１つまたは複数のプロセッサ５５３、メモリ５５５、および／またはトランシーバ５５９と併せて、第２のＲＡＴを使用するアクセスポイント（たとえば、ＷＬＡＮ  ＡＰ５０６）を通じて第２の接続（たとえば、通信リンク５２６）を介してＵＥ（たとえば、ＵＥ５１５）と通信することができる。説明したように、たとえば、スケジューリング構成要素５２０は、バックホールリンク５３４を介してＷＬＡＮ  ＡＰ５０６との間でデータを通信することに少なくとも部分的に基づいてＵＥ５１５とＷＬＡＮ  ＡＰ５０６との間に確立される別の通信リンク５２６を介してＵＥ５１５へのトラフィックをアグリゲートし得る。
【００９８】
[00107]方法１０００はまた、ブロック１０１４において、第２の接続がある電力動作モードにあるのかどうかを示す情報をアクセスポイントから受信することに少なくとも部分的に基づいて第２の接続がその電力動作モードにあるのかどうかを決定することを含み得る。モード情報受信構成要素５３０は、たとえば、１つまたは複数のプロセッサ５５３、メモリ５５５、および／またはトランシーバ５５９と併せて、第２の接続がその電力動作モードにあるのかどうかを示す情報をアクセスポイント（たとえば、ＷＬＡＮ  ＡＰ５０６）から受信することに少なくとも部分的に基づいて第２の接続（たとえば、通信リンク５２６）がその電力動作モードにあるのかどうかを決定することができる。たとえば、モード情報受信構成要素５３０は、バックホールリンク５３４を介してＷＬＡＮ  ＡＰ５０６から情報を受信し得る。一例では、ブロック１０１４において第２の接続がその電力モードにあるのかどうかを決定することは、ブロック１０１６において、ビーコン間隔、ＤＴＩＭ間隔、および／またはアクセスポイントにわたるバックホールレイテンシに応じて電力動作モードを出るための継続時間を決定することを随意に含み得る。モード情報受信構成要素５３０は、ＷＬＡＮ  ＡＰ５０６によって受信され得るビーコン間隔、ＤＴＩＭ間隔、および／またはアクセスポイントにわたるバックホールレイテンシに応じて電力動作モードを出るための継続時間を決定することができる。
【００９９】
[00108]したがって、方法１０００はまた、ブロック１０１８において、第２の接続がその電力動作モードにあるのかどうかに少なくとも部分的に基づいて第１の接続および第２の接続上での送信のためのデータをスケジュールすることを含み得る。一態様では、データスケジューリング構成要素５２４は、たとえば、１つまたは複数のプロセッサ５５３、メモリ５５５、および／またはトランシーバ５５９と併せて、第２の接続がその電力動作モードにあるのかどうかに少なくとも部分的に基づいて第１の接続および第２の接続上での送信のためのデータをスケジュールすることができる。説明したように、（たとえば、ＷＬＡＮ  ＡＰ５０６から受信された情報に基づいて）第２の接続がその電力動作モードにないことが決定される場合、データスケジューリング構成要素５２４は、トラフィックアグリゲーションを与えるために第１の接続と第２の接続との両方を介してデータをスケジュールすることができる。
【０１００】
[00109]情報および信号は多種多様な技術および技法のいずれかを使用して表され得ることを、当業者は理解されよう。たとえば、上記の説明全体にわたって参照され得るデータ、命令、コマンド、情報、信号、ビット、シンボル、およびチップは、電圧、電流、電磁波、磁場もしくは粒子、光場もしくは光粒子、またはそれらの任意の組合せによって表現され得る。
【０１０１】
[00110]さらに、本明細書で説明した態様に関して説明した様々な例示的な論理ブロック、モジュール、回路、およびアルゴリズムステップは、電子ハードウェア、コンピュータソフトウェア、またはその両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、具体的な適用例および全体的なシステムに課された設計制約に依存する。当業者は、説明した機能を具体的な適用例ごとに様々な方法で実装し得るが、そのような実装決定は、記載の態様の範囲からの逸脱を生じるものと解釈すべきではない。
【０１０２】
[00111]本明細書で説明した態様に関して説明した様々な例示的な論理ブロック、モジュール、および回路は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１０３】
[00112]本明細書で説明する態様に関して説明した方法またはアルゴリズムのステップは、直接ハードウェアで具現化され得るか、プロセッサによって実行されるソフトウェアモジュールで具現化され得るか、またはその２つの組合せで具現化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるようにプロセッサに結合される。代替として、記憶媒体はプロセッサに一体化され得る。プロセッサおよび記憶媒体は、ＡＳＩＣ中に存在し得る。ＡＳＩＣはユーザ端末中に存在し得る。あるいは、プロセッサおよび記憶媒体は、ユーザ端末内のディスクリートな構成要素として存在し得る。
【０１０４】
[00113]１つまたは複数の例示的な設計では、説明した機能は、ハードウェア、ソフトウェア、ファームウェアまたはそれらの任意の組合せで実装され得る。ソフトウェアで実装される場合、これら機能は、コンピュータ可読媒体上に記憶されるか、あるいは、コンピュータ可読媒体上の１つまたは複数の命令またはコードとして送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用コンピュータまたは特別目的コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、または命令またはデータ構造の形態の所望のプログラムコード手段を搬送または記憶するために使用され得、汎用もしくは専用コンピュータ、または汎用もしくは専用プロセッサによってアクセスされ得る任意の他の媒体を備えることができる。さらに、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用してウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピーディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲に含まれるべきである。
【０１０５】
[00114]説明する態様についての以上の説明は、いかなる当業者も本態様を作成または使用することができるように与えられたものである。態様への様々な変更は当業者には容易に明らかになり、本明細書で定義された一般原理は、本明細書で説明した態様の趣旨または範囲から逸脱することなく他の変形形態に適用され得る。したがって、本明細書で説明した態様は、本明細書で説明した例および設計に限定されるものではなく、本明細書で開示する原理および新規の特徴に合致する最も広い範囲を与えられるべきである。
以下に本願の出願当初の特許請求の範囲に記載された発明を付記する。
［Ｃ１］
ワイヤレス通信のための方法であって、
ユーザ機器（ＵＥ）によって、第１のサービングノードとの第１の接続を確立することと、
前記ＵＥによって、第２のサービングノードとの第２の接続を確立することと、ここにおいて、前記第１の接続と前記第２の接続とがトラフィックアグリゲーションのために構成される、
前記第１の接続のための電力消費モードの指示を受信することと、
前記指示に少なくとも部分的に基づいて前記第２の接続の電力動作モードを決定することと
を備える、方法。
［Ｃ２］
前記第１の接続のための前記電力消費モードの前記指示を受信することが、前記第１の接続または前記第２の接続のうちの少なくとも１つを介して受信されるパケットを並べ替えることに関係する並べ替えステータスを決定することを備える、Ｃ１に記載の方法。
［Ｃ３］
前記並べ替えステータスは、並べ替えが進行中であるのかまたは進行中でないのかという第２の指示、パケット並べ替えタイマーのために残っている時間、あるいは前記パケット並べ替えタイマーが開始してからの時間のうちの少なくとも１つに基づく、Ｃ２に記載の方法。
［Ｃ４］
前記第２の接続の前記電力動作モードを決定することが、前記並べ替えステータスを決定することに少なくとも部分的に基づいて前記電力動作モードを出ることを備える、Ｃ２に記載の方法。
［Ｃ５］
前記電力動作モードを出ることが、前記第２の接続を介して、省電力ポール、または前記電力動作モードを出ることを示すピギーバック省電力制御とともにアップリンクユーザデータのうちの少なくとも１つを送信することを備える、Ｃ４に記載の方法。
［Ｃ６］
前記第１の接続から前記電力消費モードの前記指示を受信することが、前記第１の接続または前記第２の接続のうちの少なくとも１つを介して受信されるパケットが正常に並べ替えられているかどうかを決定することを備え、前記第２の接続の前記電力動作モードを決定することが、前記パケットが正常に並べ替えられていると決定することに少なくとも部分的に基づく、Ｃ１に記載の方法。
［Ｃ７］
前記第１の接続から前記電力消費モードの前記指示を受信することが、不連続受信（ＤＲＸ）非アクティビティタイマーの満了に続いて前記第１のＲＡＴについて別の電力動作モードに入ることに関係する前記第１のＲＡＴの前記ＤＲＸ非アクティビティタイマーがトーリングしているのかどうかを決定することを備える、Ｃ１に記載の方法。
［Ｃ８］
前記ＤＲＸ非アクティビティタイマーがトーリングしていると決定することが、前記第１の接続を介してダウンリンク送信を受信することに基づいて前記ＤＲＸ非アクティビティタイマーがトーリングしていると決定することを備える、Ｃ７に記載の方法。
［Ｃ９］
前記第１の接続から前記電力消費モードの前記指示を受信することが、オン継続時間タイマーの満了に続いて前記第１のＲＡＴについて別の電力動作モードから出ることに関係する前記第１のＲＡＴの前記オン継続時間タイマーが満了したのかどうかを決定することを備える、Ｃ１に記載の方法。
［Ｃ１０］
前記指示を受信することが、前記第１の接続を介してパケットを受信または送信することに少なくとも部分的に基づく、Ｃ１に記載の方法。
［Ｃ１１］
前記指示を受信することが、前記第２の接続を介した前記電力動作モードを出ることを指示する制御パケットを前記第１の接続または前記第２の接続を介して受信することを備える、Ｃ１に記載の方法。
［Ｃ１２］
前記電力動作モードを出ることを決定することは、前記電力動作モードが前記第２の接続に対して許可されることを示す別の制御パケットが前記第１の接続または前記第２の接続を介して受信されるまで、前記電力動作モードから離れたままであることを決定することを備える、Ｃ１１に記載の方法。
［Ｃ１３］
前記制御パケットが、前記電力動作モードに入るおよび／またはそれから出るべき時間を示す、Ｃ１１に記載の方法。
［Ｃ１４］
前記制御パケットが、前記電力動作モードに入るおよび／またはそれから出ることの周期的パターンを定義する、Ｃ１１に記載の方法。
［Ｃ１５］
ワイヤレス通信のための装置であって、
トランシーバと、
命令を記憶するように構成されたメモリと、
前記トランシーバおよび前記メモリと通信可能に結合された少なくとも１つのプロセッサとを備え、ここにおいて、前記少なくとも１つのプロセッサが、
第１の無線アクセス技術（ＲＡＴ）を使用して第１のサービングノードとの第１の接続を確立することと、
第２のＲＡＴを使用して第２のサービングノードとの第２の接続を確立することと、ここにおいて、前記第１の接続と前記第２の接続とがトラフィックアグリゲーションのために構成される、
前記第１の接続のための電力消費モードの指示を受信することと、
前記指示に少なくとも部分的に基づいて前記第２の接続の電力動作モードを決定することと
を行うように構成された、装置。
［Ｃ１６］
前記少なくとも１つのプロセッサが、前記第１の接続または前記第２の接続のうちの少なくとも１つを介して受信されるパケットを並べ替えることに関係する並べ替えステータスを決定することに少なくとも基づいて前記第１の接続のための前記電力消費モードの前記指示を受信することを行うように構成された、Ｃ１５に記載の装置。
［Ｃ１７］
前記並べ替えステータスは、並べ替えが進行中であるのかまたは進行中でないのかという第２の指示、パケット並べ替えタイマーのために残っている時間、あるいは前記パケット並べ替えタイマーが開始してからの時間のうちの少なくとも１つに基づく、Ｃ１６に記載の装置。
［Ｃ１８］
前記少なくとも１つのプロセッサが、前記並べ替えステータスを決定することに少なくとも基づいて前記電力動作モードを出ることに少なくとも基づいて前記第２の接続の前記電力動作モードを決定することを行うように構成された、Ｃ１６に記載の装置。
［Ｃ１９］
前記少なくとも１つのプロセッサが、前記第１の接続または前記第２の接続のうちの少なくとも１つを介して受信されるパケットが正常に並べ替えられているかどうかを決定することに少なくとも基づいて前記第１の接続から前記電力消費モードの前記指示を受信するように構成され、ここにおいて、前記少なくとも１つのプロセッサは、前記パケットが並べ替えられていると決定することに少なくとも基づいて前記第２の接続の前記電力動作モードを決定することを行うように構成された、Ｃ１５に記載の装置。
［Ｃ２０］
前記少なくとも１つのプロセッサが、不連続受信（ＤＲＸ）非アクティビティタイマーの満了に続いて前記第１のＲＡＴについて別の電力動作モードに入ることに関係する前記第１のＲＡＴの前記ＤＲＸ非アクティビティタイマーがトーリングしているのかどうかを決定することに少なくとも基づいて前記第１の接続から前記電力消費モードの前記指示を受信することを行うように構成された、Ｃ１５に記載の装置。
［Ｃ２１］
前記少なくとも１つのプロセッサが、前記第１の接続を介してダウンリンク送信を受信することに基づいて前記ＤＲＸ非アクティビティタイマーがトーリングしていると決定することに少なくとも基づいて前記ＤＲＸ非アクティビティタイマーがトーリングしていると決定することを行うように構成された、Ｃ２０に記載の装置。
［Ｃ２２］
前記少なくとも１つのプロセッサが、オン継続時間タイマーの満了に続いて前記第１のＲＡＴについて別の電力動作モードから出ることに関係する前記第１のＲＡＴの前記オン継続時間タイマーが満了したのかどうかを決定することに少なくとも基づいて前記第１の接続から前記電力消費モードの前記指示を受信することを行うように構成された、Ｃ１５に記載の装置。
［Ｃ２３］
前記少なくとも１つのプロセッサが、前記第１の接続を介してパケットを受信することに少なくとも部分的に基づいて前記指示を受信することを行うように構成された、Ｃ１５に記載の装置。
［Ｃ２４］
前記少なくとも１つのプロセッサが、前記第２の接続を介した前記電力動作モードを出ることを指示する制御パケットを前記第１の接続または前記第２の接続を介して受信することに少なくとも基づいて前記指示を受信することを行うように構成された、Ｃ１５に記載の装置。
［Ｃ２５］
前記少なくとも１つのプロセッサは、前記電力動作モードが前記第２の接続に対して許可されることを示す別の制御パケットが前記第１の接続または前記第２の接続を介して受信されるまで、前記電力動作モードから離れたままであることを決定することに基づいて前記電力動作モードを出ることを行うように構成された、Ｃ２４に記載の装置。
［Ｃ２６］
前記制御パケットが、前記電力動作モードに入るおよび／またはそれから出るべきことに基づいて時間または周期的パターンを示す、Ｃ２４に記載の装置。
［Ｃ２７］
ワイヤレス通信のための方法であって、
第１の接続を介してユーザ機器（ＵＥ）にサービスすることと、
アクセスポイントを通じて第２の接続を介して前記ＵＥと通信することと、ここにおいて、前記第１の接続と前記第２の接続とが、トラフィックアグリゲーションのために構成される、
前記第２の接続を介した電力動作モードを出ることを示す制御パケットを前記第１の接続または前記第２の接続を介して前記ＵＥに送信することと、
前記制御パケットを送信することに少なくとも部分的に基づいて前記第１の接続および前記第２の接続上での送信のためのデータをスケジュールすることと
を備える、方法。
［Ｃ２８］
前記第２の接続を介して前記電力動作モードが許可されることを示す別の制御パケットを前記第１の接続を介して前記ＵＥに送信することをさらに備える、Ｃ２７に記載の方法。
［Ｃ２９］
ワイヤレス通信のための装置であって、
トランシーバと、
命令を記憶するように構成されたメモリと、
前記トランシーバおよび前記メモリと通信可能に結合された少なくとも１つのプロセッサとを備え、ここにおいて、前記少なくとも１つのプロセッサが、
第１の接続を介してユーザ機器（ＵＥ）にサービスすることと、
アクセスを通じて第２の接続を介して前記ＵＥと通信することと、ここにおいて、前記第１の接続と前記第２の接続とが、トラフィックアグリゲーションのために構成される、
前記第２の接続を介した電力動作モードを出ることを示す制御パケットを前記第１の接続または前記第２の接続を介して前記ＵＥに送信することと、
前記制御パケットを送信することに少なくとも部分的に基づいて前記第１の接続および前記第２の接続上での送信のためのデータをスケジュールすることと
を行うように構成された、装置。
［Ｃ３０］
前記少なくとも１つのプロセッサが、前記第２の接続を介して前記電力動作モードが許可されることを示す別の制御パケットを前記第１の接続を介して前記ＵＥに送信することを行うようにさらに構成された、Ｃ２９に記載の装置。
【図１】
0006605616.tif 000002
【図２】
0006605616.tif 000003
【図３】
0006605616.tif 000004
【図４】
0006605616.tif 000005
【図５】
0006605616.tif 000006
【図６】
0006605616.tif 000007
【図７】
0006605616.tif 000008
【図８】
0006605616.tif 000009
【図９】
0006605616.tif 000010
【図１０】
0006605616.tif 000011